(57)【特許請求の範囲】
【請求項１】
複数の加入者の敷地に狭帯域サービスと広帯域サービスの両方を提供するための電気通信システムであって、
公衆交換電話ネットワーク（ＰＳＴＮ）への接続、及び非同期転送モード（ＡＴＭ）ネットワークへの接続のために、前記ＰＳＴＮ及び前記ＡＴＭネットワークを対応の複数のツイスト・ペア銅線を介して前記複数の加入者敷地に接続する、少なくとも１つのシェルフと、
前記対応の複数のツイスト・ペア銅線への接続のための複数の加入者モデムとを含み、
前記ツイスト・ペア銅線のそれぞれは、従来の電話サービス（ＰＯＴＳ）及びＡＴＭフォーマットのデジタル・チャネルの両方を提供するために、非対称デジタル加入者回線を提供するためのものである、
電気通信システム。
【請求項２】
前記非対称デジタル加入者回線が離散マルチトーン（ＤＭＴ）技術を利用する、請求項１の電気通信システム。
【請求項３】
前記シェルフが、
前記接続を前記ＡＴＭネットワークに提供するためのＡＴＭネットワーク終端（ＮＴ）カードと、
ＡＴＭセルを搬送するために前記ＮＴカードに接続されるＡＴＭ信号バスと、
前記ＡＴＭ信号バスに接続される複数の回線終端（ＬＴ）カードとを含み、
各ＬＴカードが複数の前記ツイスト・ペア銅線への接続用のものである請求項１の電気通信システム。
【請求項４】
前記シェルフが、更に、
複数の低域通過フィルタ・カードを含み、
各カードは、前記ＰＳＴＮへの前記接続のための前記ＬＴカードの一つに対応しており、且つ前記ＰＳＴＮを前記デジタル・チャネルから分離するために前記ＬＴカードの中の前記対応する１つとともに、対応する前記複数のツイスト・ペア銅線への接続のために用いられる、請求項３の電気通信システム。
【請求項５】
各ＬＴカードが、前記ＰＯＴＳを前記ＬＴカードから分離するために、前記対応のツイスト・ペア銅線の各々に接続するための高域通過フィルタを有する、請求項４の電気通信システム。
【請求項６】
各加入者モデムが、前記加入者モデムを前記ＰＯＴＳから分離するために、前記対応のツイスト・ペア銅線への接続用の高域通過フィルタを有する、請求項５の電気通信システム。
【請求項７】
更に、前記複数の加入者敷地における前記対応の複数のツイスト・ペア銅線への接続、及び加入者電話を前記デジタル・チャネルから分離するための該加入者電話への接続のための複数の加入者低域通過フィルタを含む、請求項６の電気通信システム。
【請求項８】
更に、前記ＰＳＴＮへの接続用及び前記ＡＴＭネットワークへの接続用の複数のシェルフの中の前記少なくとも１つのシェルフを収容するためのラックを含み、前記ＡＴＭ信号バスが、前記複数のシェルフの間で共用するために延長可能である、請求項３の電気通信システム。
【請求項９】
前記ラック内の１つのシェルフだけがＡＴＭ  ＮＴカードを備え、前記ラック内の前記ＡＴＭ  ＮＴカードを備えない他のシェルフは、該他のシェルフを前記ＡＴＭ信号バスに接続するための延長・カードを備える、請求項８の電気通信システム。
【請求項１０】
前記複数の加入者敷地が、リモート・シェルフを介して前記少なくとも１つのシェルフに接続され、前記少なくとも１つのシェルフが、前記ＡＴＭネットワークを、加入者敷地に直接的に接続するだけではなく、前記リモート・シェルフに接続するためのハブ・シェルフとして使用可能である、請求項９の電気通信システム。
【請求項１１】
前記リモート・シェルフが、前記ハブ・シェルフを介して、又は、前記ラック内のバックアップ・ハブ・シェルフを介して前記ＡＴＭネットワークに接続するためのものである、請求項１０の電気通信システム。
【請求項１２】
前記複数の加入者敷地が、リモート・シェルフを介して前記少なくとも１つのシェルフに接続され、前記少なくとも１つのシェルフが、前記ＡＴＭネットワークを、加入者敷地に直接的に接続するだけではなく、前記リモート・シェルフに接続するためのハブ・シェルフとして使用可能である、請求項８の電気通信システム。
【請求項１３】
前記リモート・シェルフが、前記ハブ・シェルフを介して、又は、前記ラック内のバックアップ・ハブ・シェルフを介して前記ＡＴＭネットワークに接続するためのものである、請求項１２の電気通信システム。
【請求項１４】
前記複数の加入者敷地に接続される前記シェルフが、ハブ・シェルフとして使用されるシェルフを介して前記ＡＴＭネットワークへの接続のためのリモート・シェルフとしての遠隔構成として使用可能であり、前記ハブ・シェルフが、前記ＡＴＭネットワークを、加入者敷地に直接的に接続するだけではなく、他のリモート・シェルフに接続するために使用可能である、請求項１の電気通信システム。
【請求項１５】
広帯域ネットワークへの接続用のネットワーク終端カード（１２ａ）と前記シェルフのバックプレーン・バス（７８）による、前記ネットワーク終端カードへの接続のための複数の回線終端カード（１４）とそれぞれが公衆交換電話ネットワークへの接続のためのものである、複数の上流端低域通過フィルタ・カード（２４）とを収容するための少なくとも１つのシェルフ（３４）を有する電気通信システムであって、
各低域通過フィルタ・カードが、複数の電話信号及び対応の複数のデジタル加入者回線信号を対応のツイスト・ペア銅線（３６）の上流端（６６）で結合するための、対応の回線終端カードへの接続のためのものであり、
対応の複数の加入者敷地に設置される複数の加入者端末を備え、各加入者端末は、前記対応のツイスト・ペア銅線による対応の上流端低域通過フィルタ及び回線終端カードとの間の通信のための、対応のツイスト・ペア銅線の下流端における接続のためのものであり、各加入者端末が、
前記対応のツイスト・ペア銅線の前記下流端での接続、及び対応の加入者敷地（５４）での電話（５６）への接続のための下流端低域通過フィルタ（４２）と、
前記対応の加入者敷地におけるデータ端末（７６）への接続のための、前記対応のツイスト・ペア銅線の前記下流端（６８）での接続用のデジタル加入者回線モデム（７２）と、
を含む、電気通信システム。
【請求項１６】
前記複数の上流端低域通過フィルタ・カードが、前記少なくとも１つのシェルフのスロットへの挿入のためのものであり、前記スロットが、前記少なくとも１つのシェルフの対応の回線終端カード・スロットに隣接して配置される、請求項１５の電気通信システム。
【請求項１７】
更に、前記少なくとも１つのシェルから分離されたスプリッタ・シェルフを含み、１つ又はそれ以上の前記それ以上の上流端低域通過フィルタ・カードが、前記少なくとも１つのシェルフの前記スロットの代わりに、前記スプリッタ・シェルフのスロットに挿入可能である、請求項１６の電気通信システム。
【請求項１８】
前記デジタル加入者回線信号が、非対称デジタル加入者回線信号である、請求項１５の電気通信システム。
【請求項１９】
前記非対称デジタル加入者回線信号が、離散マルチトーン（ＤＭＴ）を利用する、請求項１５の電気通信システム。
【請求項２０】
前記少なくとも１つのシェルフが、ハブ・シェルフとして使用されるシェルフを介する、前記広帯域ネットワークへの接続のためのリモート・シェルフとしてのリモート構成として使用可能であり、前記ハブ・シェルフが、前記広帯域ネットワークを、加入者敷地に直接的に接続するだけではなく、他のリモート・シェルフに接続するためにも使用可能である、請求項１５の電気通信システム。
【請求項２１】
更に、１つの共通データ及び制御バスを介して相互接続される複数のシェルフの間に前記ハブ・シェルフを収容するためのラックを含む、請求項２０の電気通信システム。
【請求項２２】
前記リモート・シェルフが、前記ハブ・シェルフを介する、又は前記ラック内のバックアップ・ハブ・シェルフを介する前記広帯域ネットワークへの接続のためのものである、請求項２１の電気通信システム。
【請求項２３】
加入者の敷地（５４）で使用される下流端低域通過フィルタ（４２）及びデジタル加入者回線モデム（７２）を含む加入者装置とシェルフ（３４）を含むプロバイダ装置とを有する電気通信システムであって、
前記下流端低域通過フィルタは、周波数分割多重化信号（３６）内でベースバンド位置を占有し、且つ加入者の敷地と公衆交換電話ネットワーク（ＰＳＴＮ）との間の音声通信で使用される電話信号を提供するためだけに、ベースバンドの上側の位置を占有する広帯域信号（５８）を有する該電話信号に応答し、
前記デジタル加入者回線モデムは、前記加入者の敷地とパケット・ネットワークとの間のデジタル通信で使用される前記広帯域信号を提供するために、前記周波数分割多重化信号に応答し、
前記シェルフ（３４）は前記周波数分割多重化信号（３６）を提供するために、前記電話信号（５０）及び前記広帯域信号（５８）に応答し、
前記シェルフが、
前記パケット・ネットワークへの接続用のネットワーク終端（ＮＴ）カード（１２ａ）と、
前記シェルフのバックプレーン・バス（７８）によって、前記ＮＴカードへ接続するための複数の回線終端（ＬＴ）カード（１４）と、
それぞれが前記ＰＳＴＮへの接続用の、複数の上流端低域通過フィルタ（ＬＰＦ）カード（２４）と、
を含み、
各上流ＬＰＦカードが、対応する電話信号及び対応する広帯域信号をツイスト・ペア銅線（３６）の上流端で結合するための、対応するＬＴカードへの接続のためのものであり、前記電気通信システムが、更に、それぞれが下流端低域通過フィルタ（４２）及びデジタル加入者回線モデム（７２）を含む複数の加入者装置を含み、各加入者装置が、対応の上流端ＬＰＦカード及び対応のツイスト・ペア銅線の下流端にあるＬＴカードへの接続のためのものである、
電気通信システム。
【請求項２４】
前記複数の上流端ＬＰＦカードが、前記少なくとも１つのシェルフのスロットへの挿入のためのものであり、前記スロットが、前記シェルフの対応のＬＴカード・スロットに隣接して配置される、請求項２３の電気通信システム。
【請求項２５】
更に、前記シェルフ（３４）から分離されているスプリッタ・シェルフを含み、前記複数の上流端ＬＰＦカードの１つ又は複数が、前記少なくとも１つのシェルフの前記スロットの代わりに、前記スプリッタ・シェルフのスロットに挿入可能である、請求項２４の電気通信システム。
【請求項２６】
加入者の敷地（５４）で使用される下流端低域通過フィルタ（４２）及びデジタル加入者回線モデム（７２）を含む加入者装置とシェルフ（３４）を含むプロバイダ装置とを有する電気通信システムであって、
前記下流端低域通過フィルタは、周波数分割多重化信号（３６）内でベースバンド位置を占有し、且つ加入者の敷地と公衆交換電話ネットワーク（ＰＳＴＮ）との間の音声通信で使用される電話信号を提供するためだけに、ベースバンドの上側の位置を占有する広帯域信号（５８）を有する該電話信号に応答し、
前記デジタル加入者回線モデムは、前記加入者の敷地とパケット・ネットワークとの間のデジタル通信で使用される前記広帯域信号を提供するために、前記周波数分割多重化信号に応答し、
前記シェルフ（３４）は前記周波数分割多重化信号（３６）を提供するために、前記電話信号（５０）及び前記広帯域信号（５８）に応答し、
前記広帯域信号が、デジタル加入者回線信号であり、
前記デジタル加入者回線信号が、非対称デジタル加入者回線信号であり、
前記非対称デジタル加入者回線信号が、変調のために離散マルチトーン（ＤＭＴ）を利用する、電気通信システム。
【請求項２７】
加入者の敷地（５４）で使用される下流端低域通過フィルタ（４２）及びデジタル加入者回線モデム（７２）を含む加入者装置とシェルフ（３４）を含むプロバイダ装置とを有する電気通信システムであって、
前記下流端低域通過フィルタは、周波数分割多重化信号（３６）内でベースバンド位置を占有し、且つ加入者の敷地と公衆交換電話ネットワーク（ＰＳＴＮ）との間の音声通信で使用される電話信号を提供するためだけに、ベースバンドの上側の位置を占有する広帯域信号（５８）を有する該電話信号に応答し、
前記デジタル加入者回線モデムは、前記加入者の敷地とパケット・ネットワークとの間のデジタル通信で使用される前記広帯域信号を提供するために、前記周波数分割多重化信号に応答し、
前記シェルフ（３４）は前記周波数分割多重化信号（３６）を提供するために、前記電話信号（５０）及び前記広帯域信号（５８）に応答し、
前記シェルフが、前記プロバイダ装置のハブ・シェルフ部分として使用される別のシェルフを介して前記パケット・ネットワークに接続するためのリモート・シェルフとしての遠隔構成として使用可能であり、前記ハブ・シェルフが、前記パケット・ネットワークを、加入者敷地に直接的に接続するだけではなく、他のリモート・シェルフに接続するためにも使用可能である、電気通信システム。
【請求項２８】
前記プロバイダ装置が、更に、１つの共通データ及び制御バスを介して相互接続される複数のシェルフの間に前記ハブ・シェルフを収容するためのラックを含む、請求項２７の電気通信システム。
【請求項２９】
前記リモート・シェルフが、前記ハブ・シェルフを介して、又は前記ラックのバックアップ・シェルフを介して、前記パケット・ネットワークに接続するためのものである、請求項２８の電気通信システム。
【請求項３０】
電話ネットワークと広帯域ネットワークの両方への接続用のシェルフと複数の加入者敷地での加入者装置への接続のための複数の加入者回線とを備える電気通信システムで使用される加入者装置であって、各加入者装置が加入者の敷地（５４）で使用するための低域通過フィルタ（４２）とデジタル加入者回線モデム（７２）とを含み、
該低域通過フィルタは、周波数分割多重化信号（３６）においてベースバンド位置を占有し且つ前記加入者の敷地と前記電話ネットワークとの間の音声通信で使用される該低域通過フィルタ（４２）と加入者の電話（５６）との間で前記電話信号を提供するためだけに、ベースバンドの上側の位置を占有する広帯域信号（５８、７４）を有する電話信号（５０、５２）に応答し、
前記加入者回線モデムは、前記加入者の敷地と前記広帯域ネットワークとの間のデジタル通信で使用するために、該デジタル加入者モデム（７２）と加入者のデータ端末（７６）との間の前記広帯域信号を提供するためだけの、前記周波数分割多重化信号への接続のためのものであり、
前記広帯域信号（５８）が、非同期転送モード（ＡＴＭ）フォーマットで伝送される、電気通信システム。
【請求項３１】
電話ネットワークと広帯域ネットワークの両方への接続用のシェルフと複数の加入者敷地での加入者装置への接続のための複数の加入者回線とを備える電気通信システムで使用される加入者装置であって、各加入者装置が加入者の敷地（５４）で使用するための低域通過フィルタ（４２）とデジタル加入者回線モデム（７２）とを含み、
該低域通過フィルタは、周波数分割多重化信号（３６）においてベースバンド位置を占有し且つ前記加入者の敷地と前記電話ネットワークとの間の音声通信で使用される該低域通過フィルタ（４２）と加入者の電話（５６）との間で前記電話信号を提供するためだけに、ベースバンドの上側の位置を占有する広帯域信号（５８、７４）を有する電話信号（５０、５２）に応答し、
前記加入者回線モデムは、前記加入者の敷地と前記広帯域ネットワークとの間のデジタル通信で使用するために、該デジタル加入者モデム（７２）と加入者のデータ端末（７６）との間の前記広帯域信号を提供するためだけの、前記周波数分割多重化信号への接続のためのものであり
前記周波数分割多重化信号（３６）が、前記シェルフ（３４）と加入者端にある下流端ノード（６８）との間に接続されるツイスト・ペア線上に提供され、前記下流ノード（６８）が、前記低域通過フィルタ（４２）と前記デジタル加入者回線モデム（７２）との間で、前記周波数分割多重化信号を下流方向で分割するためのものであり、前記シェルフが、前記下流方向で前記周波数分割多重化信号（３６）を形成すべく、前記電話信号（５０）と前記広帯域信号（５８）を結合するための上流端ノード（６６）を有する、電気通信システム。
【請求項３２】
電話ネットワークと広帯域ネットワークの両方への接続用のシェルフと複数の加入者敷地での加入者装置への接続のための複数の加入者回線とを備える電気通信システムで使用される加入者装置であって、各加入者装置が加入者の敷地（５４）で使用するための低域通過フィルタ（４２）とデジタル加入者回線モデム（７２）とを含み、
該低域通過フィルタは、周波数分割多重化信号（３６）においてベースバンド位置を占有し且つ前記加入者の敷地と前記電話ネットワークとの間の音声通信で使用される該低域通過フィルタ（４２）と加入者の電話（５６）との間で前記電話信号を提供するためだけに、ベースバンドの上側の位置を占有する広帯域信号（５８、７４）を有する電話信号（５０、５２）に応答し、
前記加入者回線モデムは、前記加入者の敷地と前記広帯域ネットワークとの間のデジタル通信で使用するために、該デジタル加入者モデム（７２）と加入者のデータ端末（７６）との間の前記広帯域信号を提供するためだけの、前記周波数分割多重化信号への接続のためのものであり
前記下流端低域通過フィルタ（４２）及びデジタル加入者回線モデム（７２）が、ツイスト・ペア線により前記シェルフ（３４）にある上流端ノード（６６）に接続されている下流端ノード（６８）に接続され、前記シェルフが、前記上流端ノード（６６）に接続される低域通過フィルタ（４０）及び高域通過フィルタ（３８）を有し、前記高域通過フィルタ（３８）が前記広帯域信号（５８）に接続され、前記低域通過フィルタ（４０）が前記電話信号（５０）に接続される、電気通信システム。
【請求項３３】
電話ネットワークと広帯域ネットワークの両方への接続用のシェルフと複数の加入者敷地での加入者装置への接続のための複数の加入者回線とを備える電気通信システムで使用される加入者装置であって、各加入者装置が加入者の敷地（５４）で使用するための低域通過フィルタ（４２）とデジタル加入者回線モデム（７２）とを含み、
該低域通過フィルタは、周波数分割多重化信号（３６）においてベースバンド位置を占有し且つ前記加入者の敷地と前記電話ネットワークとの間の音声通信で使用される該低域通過フィルタ（４２）と加入者の電話（５６）との間で前記電話信号を提供するためだけに、ベースバンドの上側の位置を占有する広帯域信号（５８、７４）を有する電話信号（５０、５２）に応答し、
前記加入者回線モデムは、前記加入者の敷地と前記広帯域ネットワークとの間のデジタル通信で使用するために、該デジタル加入者モデム（７２）と加入者のデータ端末（７６）との間の前記広帯域信号を提供するためだけの、前記周波数分割多重化信号への接続のためのものであり、
前記シェルフが、両方とも前記上流端ノード（６６）に接続される、上流端低域通過フィルタ（４０）及び上流端高域フィルタ（３８）を有し、前記周波数分割多重化信号（３６）が、前記ベースバンド位置を占有する上流電話信号とベースバンド上の前記位置を占める上流広帯域信号とを含む上流信号を含み、前記上流端低域通過フィルタ（４０）が前記上流電話信号を上流に提供するためだけに前記上流信号に応答し、前記上流端高域フィルタ（３８）が前記上流広帯域信号を提供するためだけに前記上流信号に応答する、電気通信システム。
【請求項３４】
狭帯域サービスと広帯域サービスの両方を複数の加入者敷地に提供するために、電気通信システムで使用するためのラック内の複数のシェルフの中で使用されるシェルフであって、狭帯域ネットワーク及び広帯域ネットワークへの接続のために、前記狭帯域ネットワーク及び前記広帯域ネットワークを前記複数の加入者敷地に対応の複数のツイスト・ペア銅線を介して接続するためのハウジングを有し、該ハウジングが上部セクション（２２）と下部セクション（２０）と含む複数のセクションを含み、
該上部セクション（２２）は、その中心部分（２４）に、前記ハウジングのバックプレーンに挿入するためにコネクタが備えられた複数の低域通過フィルタ・カードを収容するためのものであり、前記ハウジングの前記上部セクション（２２）は更に、前記狭帯域ネットワーク及び前記複数のツイスト・ペア銅線を接続するために確保されている端部分（３３）を有しており、
該下部セクションは、その中心部分（１４）にそれぞれが前記ハウジングの前記バックプレーンに挿入するためにコネクタが備えられた複数の回線終端カードを収容するためのものであり、該下部セクション（２０）は更に、前記広帯域ネットワークへのケーブル接続用の少なくとも１枚のネットワーク終端カードのために確保されている少なくとも１つの端部分（３５）を含む、
シェルフ。
【請求項３５】
電気通信システムのシェルフ内で使用される回線終端装置であって、前記回線終端装置が、複数の加入者敷地にある対応の複数の加入者装置に接続するための複数の加入者回線への接続用のものであり、前記回線終端装置は、それぞれが、対応の加入者敷地から対応のツイスト・ペアへの接続用のハイブリッド回路を含む複数の加入者チャネルを有しており、
各チャネルが、
ベースバンドより上側の位置を占有する広帯域信号から、周波数分割多重化信号（３６）内のベースバンド位置を占有する電話信号を分離するための高域通過フィルタと、
ベースバンドより上側の前記位置において前記ツイスト・ペア銅線上で符号化され且つ変調された広帯域信号を提供すべく、該符号化され、変調された広帯域信号を前記ハイブリッド回路に提供するための該広帯域信号に応答する変調器／エンコーダと、
復調され、復号化された広帯域信号を前記広帯域ネットワークに提供するために、前記加入者敷地からの広帯域信号に応答する復調器／デコーダと、
を含む、回線終端装置。
【請求項３６】
電気通信システムのシェルフで使用される交換可能なプリント基板アセンブリ（ＰＢＡ）であって、前記シェルフが、電話ネットワークと広帯域ネットワークの両方への接続ためのものであり、複数の加入者敷地にある加入者装置への接続用の複数の加入者回線を備え、前記交換可能なＰＢＡが、
それぞれが、複数のツイスト・ペア銅線を含む従来の電話サービス（ＰＯＴＳ）インタフェース（５０）への接続用の第１ポートと、
対応の複数の顧客の敷地及び前記広帯域ネットワークへの、前記シェルフの広帯域多重バスを介した接続のための対応の第２の複数のツイスト・ペア銅線への接続のための第２ポートと、
を備える対応の複数の低域通過フィルタを有する、
交換可能なプリント基板アセンブリ。
【請求項３７】
サービスを下流加入者装置に提供するための上流ネットワークサービスプロバイダへの接続用の電気通信ラックであり且つ該ラツクへの接続のための電気通ラックであって、
少なくとも１つのシェルフがネットワーク終端装置による前記上流ネットワーク・サービス・プロバイダへの接続用のものであり、各シェルフが回線終端装置によって前記下流加入者装置の異なった装置への接続用のものであり、それぞれが同じ非冗長機能を備える複数のシェルフと、
少なくとも一対の冗長回線終端装置とを含み、
前記ペアの一方の回線終端装置が、その同じ非冗長性機能に関連する前記少なくとも１つのシェルフで使用するためのものであり、前記ペアの残りの回線終端装置が、その同じ非冗長性機能に関連する前記複数のシェルフのうちの別のシェルフで使用するためのものであり、
該ラックは更に、前記同じ非冗長性機能を重複して提供するために、前記少なくとも１つのシェルフと前記別のシェルフを接続するための手段を有する、
電気通信ラック。
【請求項３８】
前記同じ非冗長性機能が、前記ネットワーク終端装置及び前記回線終端装置を相互接続するためのシェルフ・バスである、請求項３７の電気通信ラック。
【請求項３９】
電気通信システムのシェルフで使用されるネットワーク終端装置であって、非同期転送モード（ＡＴＭ）ネットワーク及び複数の回線終端装置へ接続するためのものであり、更に加入者装置への接続用の前記シェルフで使用されるネットワーク終端装置において、
並列入力／出力を提供するために、前記ＡＴＭネットワークへの直列入力／出力接続によって物理媒体にインタフェースする物理媒体終端装置と、
前記直列入力／出力のトランスポート・フォーマットのフレームから又は該フレームにＡＴＭセルを再生又はマッピングするために、前記並列入力／出力に接続される伝送伝達手段と、
前記伝送伝達手段によって再生される下流ＡＴＭセルを層処理し、且つ前記伝送伝達手段に上流ＡＴＭセルを提供するために前記伝送伝達手段に接続されるＡＴＭ層処理手段と、
前記下流ＡＴＭセルに、前記シェルフのＡＴＭバス用のガード・バイトを提供するために前記ＡＴＭ層処理手段からの下流ＡＴＭセルに応答し、且つ前記上流セルを前記ＡＴＭ層処理手段に前記ガード・バイトなしで提供するためにガード・バイト付きの上流ＡＴＭセルに応答する、ＡＴＭバス・インタフェースと、
を含むネットワーク終端装置。
【発明の詳細な説明】
【０００１】
【発明の属する技術分野】
本発明は、高速通信サービスをデジタル加入者回線により一般住宅及び小企業に提供することに関する。
【０００２】
【従来の技術】
インターネットの突然の出現により、一般住宅及び小企業への高速通信サービスに対する差し迫った需要が生じた。これらのサービスは、バースト（ｂｕｒｓｔｙ）データ・パターン及び非対称データ転送によって区別される。つまり、加入者の敷地から受信されるよりはるかに多くの情報がそれに向かって送信される。少なくとも物理信号レベルでのこのニーズに対する部分的な回答が、ＡＤＳＬ（非対称デジタル加入者回線）のような新しい「ｘＤＳＬ」伝送技術に見られる。最近では、これらは、広い範囲のループ長が処理できるように、各加入者回線での動的なビット伝送速度適応を可能にするのに十分な程度に改良されてきている。しかし、この変化性（バーストデータ、動的ビット伝送速度など）によって、実現可能な商業サービスの場合に必要とされるような、各加入者に対して提供されるサービスの質（ＱｏＳ）を予測、制御、管理又は保証することはほとんど不可能になっている。
【０００３】
複数の企業は、ＤＭＴ（離散マルチトーン）又はＣＡＰ（キャリアレス（ｃａｒｒｉｅｒ−ｌｅｓｓ）振幅位相変調）技術、あるいはその両方を使用するＡＤＳＬ製品に取り組んでいる。つまり、各社が独自の装置構成及びターゲット・アプリケーションを備えている。これらの製品は、ほとんど又はまったく柔軟な帯域幅制御を使用せず、ＱｏＳ管理機能を使用しないで、ＡＤＳＬデータ・ストリームを多重化するだけである。
【０００４】
【発明が解決しようとする課題】
本発明の第１の目的は、ＡＴＭ（非同期転送モード）の管理機能をｘＤＳＬの物理層伝送の柔軟性に結合させることにより前記管理問題を解決することである。
【０００５】
本発明の第２の目的は、従来の電話サービス及び広帯域デジタル・サービスを、すでに電話のために配備されている従来の伝送回線上で同時に個々の加入者に提供する、電気通信システムにアーキテクチャを提供することである。
【０００６】
本発明の第３の目的は、加入者に対するライフラインの電話サービスに干渉しないでデジタル加入者回線ハードウェアの保守可能性を提供するようなアーキテクチャを提供することである。
【０００７】
本発明の第４の目的は、このようなシステムの前記目的を実行する機能を備えた実際的なハードウェア構成要素を提供することである。
【０００８】
【課題を解決するための手段】
本発明の第１の特徴によれば、狭帯域サービスと広帯域サービスの両方を複数の加入者敷地に提供するための電気通信システムは、対応する複数のツイスト・ペア銅線を介して複数の加入者敷地及び対応する複数のツイスト・ペア銅線への接続用の複数の加入者モデムにＰＳＴＮネットワーク及びＡＴＭネットワークを接続するために、公衆交換電話ネットワーク（ＰＳＴＮ）及び非同期転送モード（ＡＴＭ）ネットワークへの接続用の少なくとも１つのシェルフを含み、ツイスト・ペア銅線のそれぞれは、従来の電話サービス（ＰＯＴＳ）及びＡＴＭフォーマットに適応したデジタル・チャネルをデジタル加入者回線を提供するためのものである。デジタル加入者回線は、非対称デジタル加入者回線（ＡＤＳＬ）である場合がある。更に、それは、米国規格協会（ＡＮＳＩ）仕様書ＡＮＳＩ  Ｔ１．４１３−１９９５から公知のように、離散マルチトーン（ＤＭＴ）技術を使用することがある。また、それは、キャリアレス振幅位相変調（ＣＡＰ）を使用することもある。
【０００９】
今まで、ＡＴＭ及びｘＤＳＬを上記のように結合して、加入回線用の完全で実現可能な汎用アクセス通信システムを構成することは行なわれていなかった。実際、ＡＤＳＬ自体は、既存の銅線ペア上で長距離に渡って電話スペクトル（最高３．４  ｋＨｚ）を超える帯域幅を使用する方法が明らかでなかったため、ごく最近まで実行できなかった。新しいＬＳＩ（大規模集積）及びＤＳＰ（デジタル信号処理）技術によって、現在では、ＡＤＳＬは、毎秒マルチ・メガビットの速度で実際的なものになり、高速データ・サービス（特にインターネット・アクセス）に対する需要によってＡＤＳＬは必要になった。また、地域の電話会社は、既存の電話交換システムを、それらが処理するようには設計されていなかった圧倒的なインターネット／モデムのトラヒックから解放しなければならない多大な圧力にさらされている。本明細書に記載されるシステムを使用することにより、運営企業は、同時に電話交換機から渋滞を除去し、高速サービスを新たな収益を生み出すものとしての顧客に提供し、顧客の個々のニーズに適合するために提供されるサービスのタイプ（つまり、ＱｏＳクラス）を拡大することができる。
【００１０】
ＡＴＭの十分な帯域幅柔軟性は、さまざまなアプリケーション（用途）によって必要とされる幅広い範囲のサービスをサポートするためのフレームワークを提供し、高いリソース活用を達成する。本発明においては、ＡＴＭが、加入者によって望まれるアプリケーションのサービス要件の質を満たすために、ネットワーク内のリソースを確保するための可能性を提供するという点が、特に有利である。これは、例えば非常に大きな帯域幅を下流専用とし、比較的に小さな帯域幅が加入者から上流への通信に確保される非対称デジタル加入者回線の性質のため、特に、本発明において有利である。その場合、上流通信ネットワーク構成要素に接続される多数の加入者を有するアーキテクチャを使用する場合に、通信ネットワーク構成要素に部分的に接続される加入者の数に応じて、上流方向への厳しい帯域幅競合問題が発生する可能性がある。これは、さまざまな料金構造を使用する電話会社によって実現することの可能な加入者に異なる質のサービスを提供することにより、本発明に従って、ある程度まではバランスされることができる。
【００１１】
本発明の第２の特徴によれば、電気通信システムは、加入者装置とプロバイダ装置とを備え、前記加入者装置は、周波数分割多重化信号でベースバンド位置を占有しており、加入者の敷地と公衆交換電話ネットワークとの間の音声通信に使用される電話信号を提供するためだけに、ベースバンドより上側の位置を占める広帯域信号を有する電話信号に応答する、加入者の敷地で使用される低域通過フィルタと、加入者の敷地とパケット・ネットワークとの間のデジタル通信に使用される広帯域サービスを提供するために、周波数分割多重化信号に応答する、加入者の敷地で使用されるデジタル回線モデムとを含み、プロバイダ装置は、周波数分割多重化信号を提供するために、電話信号及び広帯域信号に応答するシェルフを有する。
【００１２】
本発明の第２の特徴により、電話加入者は、既存の電話銅線ペアで自宅及び企業への効率的な高速デジタル・サービスを得ることができる。一方、従来のアナログ「ライフライン」電話サービスも、同じペア上で高い統合性で同時に提供される。
【００１３】
本発明の上記特徴及び他の特徴の要点は、独自のシステムアーキテクチャー、及び従来のアナログ・モデルの１００倍を超える速度でのインターネット・アクセスのようなサービスを経済的に提供するために協働する、ｘＤＳＬとパケット技術の新しい組み合わせにある。
【００１４】
デジタル加入者回線モデムとは別に低域通過フィルタを設計することにより、モデムをライフライン電話サービスに干渉しないで保守することができ、それにより上記の高い統合性を提供できる。電話サービスを広帯域サービスから同様に分離することは、シェルフ内での広帯域サービスの回線終端の一部ではない別個の低域通過フィルタを提供することによって、シェルフ内でも達成できる。
【００１５】
後述の好ましい実施形態は、適合速度ＡＤＳＬ符号化ＡＴＭフォーマットデータを既存の銅線ペア上でオーバレイするが、後述のシステム・アーキテクチャは、任意の種類のパケット・ネットワーク、又はＡＤＳＬ、ＶＤＳＬ、ＨＤＳＬ、ＳＤＳＬ，及びＩＳＤＮ−ＢＲＡを含むさまざまなデジタル加入者回線（ＤＳＬ）伝送技術、あるいはその両方を取り入れることができることを理解すべきである。本発明の初期のインプリメンテーション（実施）は、「ネットワーク及び顧客・インストール・インタフェース――非同期デジタル加入者回線（ＡＤＳＬ）金属インタフェース」と題するＡＮＳＩ規格Ｔ１．４１３−１９９５に規定されるＡＤＳＬ用のＤＭＴコーディング方法を使用するが、それ以外のコーディング方法も使用できることを理解すべきである。
【００１６】
更に、複数のＡＴＭサービス・クラス及び各サービスの質（ＱｏＳ）パラメータがサポートされ、顧客が、最大広帯域をＵＢＲトラヒック用に確保できるようにするＵＢＲ＋と呼ばれる新しいサービスだけではなく、ＣＢＲ（固定速度）サービス、ＶＢＲｒｔ（可変ビット速度−リアルタイム）サービス、ＶＢＲｎｒｔ（可変ビット速度−非リアルタイム）サービス、及びＵＢＲ（未指定速度（ｕｎｓｐｅｃｉｆｉｅｄ  ｂｉｔ  ｒａｔｅ））サービスに加入できるようにする。
【００１７】
本明細書に開示されるアーキテクチャは、本願と同一の日に出願された米国暫定特許出願シリアル番号（代理人事件整理番号第９０２−５８３号）が付けられた「優先順位が付けられたデータ伝送の方法及びデータ伝送装置」と題する、関連の米国暫定出願明細書に詳しく開示されている、加重サービス提供物及びセル・エージング（ｃｅｌｌ  ａｇｉｎｇ）機構を使用する優先順位機構に基づき、必要とされるパラメータ内でトラヒックを割り当てるための、ＡＴＭマックス機能及び独特の「ＩＱ」バス介入を適用する。「ＩＱ」バスの概念自体は、本願と同一の日に出願された「優先順位ベースのアクセス制御方法及び装置」と題する米国暫定特許出願シリアル番号（代理人事件整理番号第９０２−５８１号）に開示されており、１９９７年２月１１日に出願された欧州特許第９７４００３０３号に基づく、本発明の選択された実施形態でも使用可能な「Ｉ＊」バス・アクセス機構に優る改善策である。
【００１８】
本発明の第３の特徴によれば、電気通信システムは、ツイスト・ペア銅線による、対応の複数の加入者敷地内の複数の加入者端末への接続のための少なくとも１つのシェルフを含み、この少なくとも１つのシェルフは、広帯域ネットワークへの接続用のネットワーク終端カード、シェルフのバックプレーン・バスによるネットワーク終端カードへの接続用の複数の回線終端カード、及びそれぞれが公衆交換電話ネットワークへの接続用の複数の低域通過フィルタ・カードを含む複数のカードを収容するためのものであり、各低域通過フィルタ・カードは、複数の電話信号と対応の複数のデジタル加入者回線信号をツイスト・ペア銅線の上流端で結合するための対応の回線終端カードへの接続のためのものであり、各加入者端末は、電話に電話信号を提供するための対応のツイスト・ペア銅線の下流端での接続のためのの低域通過フィルタ及びデータ端末への接続のためのツイスト・ペア銅線の下流端での接続用のデジタル加入者回線モデムを含む。
【００１９】
本発明の第４の特徴によれば、電気通信システムは、広帯域ネットワークへの接続用のネットワーク終端カード、前記シェルフのバックプレーン・バスによる前記ネットワーク終端カードへの接続用の複数の回線終端カード、及びそれぞれが公衆交換電話ネットワークへの接続用の複数の上流端低域通過フィルタを収容する少なくとも１つのシェルフを有し、各低域通過フィルタ・カードは、複数の電話信号と対応の複数のデジタル加入者回線信号を対応の複数のツイスト・ペア銅線の上流端で結合するためのものであり、前記対応のツイスト・ペア銅線による対応の上流端低域通過フィルタと回線終端カードとの通信のための対応のツイスト・ペア銅線の下流端での接続用のものである、対応の複数の加入者敷地に設置される複数の加入者端末を含み、各加入者端末が、前記対応のツイスト・ペア銅線の前記下流端での接続、及び対応の加入者敷地での電話への接続用の下流端低域通過フィルタ及び、前記対応の加入者敷地にあるデータ端末への接続のための前記対応するツイスト・ペア銅線の前記下流端での接続用のデジタル加入者回線モデムを含む。
【００２０】
本発明の第５の特徴によれば、電気通信システムは、加入者の敷地と公衆交換電話ネットワークとの間の音声通信に使用される周波数分割多重化信号でベースバンド位置を占有し、且つ電話信号を提供するためだけに、ベースバンドの上側の位置を占有する電話信号に応答する、加入者の敷地で使用される下流端低域通過フィルタと加入者の敷地とパケット・ネットワークとの間のデジタル通信で使用される前記広帯域信号を提供するために、前記周波数分割多重化信号に応答する、加入者の敷地で使用されるデジタル加入者回線モデムとを含む加入者装置と、前記周波数分割多重化信号を提供するために、前記電話信号と前記広帯域信号に応答するシェルフを含むプロバイダ装置とを含む。
【００２１】
本発明の第６の特徴によれば、電話ネットワークと広帯域ネットワークの両方への接続のためのシェルフを備え、複数の加入者敷地にある加入者装置への接続のための複数の加入者回線を備える電気システムで使用される加入者装置であって、各加入者装置が、低域通過フィルタと、周波数分割多重化信号内でのベースバンド位置を占有し、且つ加入者の敷地と前記電話ネットワークとの間の音声通信に使用される電話信号を提供するためだけにベースバンドの上側の位置を占有する広帯域信号を有する電話信号に応答する、加入者の敷地で使用される低域通過フィルタと、加入者の敷地で使用されるデジタル加入者回線モデムとを有しており、該モデムは、前記加入者の敷地と前記広帯域ネットワークとの間のデジタル通信に使用される、該モデムと加入者データ端末との間に前記広帯域信号を提供するために、前記周波数分割多重化信号への接続のためのものである。
【００２２】
本発明の第７の特徴によれば、複数の加入者敷地に狭帯域サービスと広帯域サービスの両方を提供するために電気通信システムで使用されるラック内の複数のシェルフの間で使用される１つのシェルフは、前記狭帯域ネットワークと前記広帯域ネットワークを、対応の複数のツイスト・ペア銅線を介して、前記複数の加入者敷地に接続するための、狭帯域ネットワーク及び広帯域ネットワークへの接続のためのハウジングを含み、前記ハウジングは、その中心部分に、前記ハウジングのバックプレーンへの挿入用のコネクタを備えた複数の低域通過フィルタ・カードを収容するために、前記狭帯域ネットワークと前記複数のツイスト・ペア銅線を接続するために確保された端部分を備える前記ハウジングの上部セクションと、それぞれが前記ハウジングの前記バックプレーンへの挿入のためのコネクタを備える複数の回線終端カードをその中心部分に収容するために、前記広帯域ネットワークへのケーブル接続用の少なくとも１つのネットワーク終端カードのために確保される少なくとも１つの端部分を有する下部セクションとを含む、複数のセクションを備える。
【００２３】
本発明の第８の特徴によれば、電気通信システムのシェルフ内で使用される回線終端装置は、複数の加入者敷地にある対応の複数の加入者装置への接続用の複数の加入者回線へ接続するためのものであり、前記回線終端装置は、それぞれが対応の加入者敷地から対応のツイスト・ペアへの接続用のハイブリッド回路を含む複数の加入者チャネルを含み、各チャネルが、周波数分割多重化信号内でベースバンド位置を占める電話信号を、ベースバンドの上側の位置を占める広帯域信号から分離するための高域通過フィルタと前記ベースバンドの上側の位置の前記符号化され、変調された広帯域信号を前記ツイスト・ペア銅線で提供するために、前記ハイブリッド回路に符号化され変調された広帯域信号を提供するために前記広帯域信号に応答する変調器／エンコーダと復調され復号化された広帯域信号を前記広帯域ネットワークに提供するために前記加入者敷地からの広帯域信号に応答する復調器／デコーダとを含む。
【００２４】
本発明の第９の特徴によれば、電気通信システムの複数の加入者敷地にある加入者装置への接続用の複数の加入者回線を備える、電話ネットワークと広帯域ネットワークの両方への接続用のシェルフ内で使用される交換可能プリント基板アセンブリは、複数のツイスト・ペア銅線を含む従来の電話サービス・インタフェースへの接続用の第１ポートと、前記シェルフの広帯域多重化バスを介する前記広帯域ネットワークへの接続及び前記対応の複数の顧客敷地への接続のための対応の第２の複数のツイスト・ペア銅線への接続用の第２ポートとをそれぞれ備える対応の複数の低域通過フィルタを含む。
【００２５】
本発明の第１０の特徴によれば、下流加入者装置に前記サービスを提供するための上流ネットワーク・サービス・プロバイダへの接続のための電気通信ラックであって、該ラックにも接続される電気通信ラックは、少なくとも１つのシェルフがネットワーク終端装置により前記上流ネットワーク・サービス・プロバイダへの接続用のものであり、各シェルフが回線終端装置による前記下流加入者装置の異なる装置への接続用のものである複数のシェルフを含み、前記複数のシェルフのそれぞれが、同じ非冗長機能と少なくとも１対の非冗長回線終端装置とを有し前記ペアの一方回線終端装置はその同じ非冗長機能と関連する前記少なくとも１つのシェルフで使用するためのものであり、前記ペアの他方の回線終端装置はその同じ非冗長機能に関連する前記複数のシェルフの中の別のシェルフで使用するためのものであり、更に、前記同じ非冗長機能を重複して提供するために、前記少なくとも１つのシェルフ及び前記別のシェルフを接続するための手段を備える。
【００２６】
本発明の第１１の特徴によれば、電気通信システムのシェルフで使用されるネットワーク終端装置は、非同期転送モード（ＡＴＭ）・ネットワーク及び複数の回線終端装置への接続のためのものであり、且つ加入者装置への接続のために前記シェルフで使用され、前記ネットワーク終端装置は、前記直列入力／出力のトランスポート・フォーマットのフレームから又は該フレームにＡＴＭセルを再生／又はマッピングするために、前記並列入力／出力に接続される並列入力／出力伝送伝達手段を提供すべく、前記ＡＴＭネットワークへの直列入力／出力接続によって物理媒体へインタフェースする物理媒体終端装置を含み、ＡＴＭ層処理手段は、前記伝送伝達手段により再生される下流ＡＴＭセルを層処理（ｌａｙｅｒｐｒｏｃｅｓｓｉｎｇ）し、且つ前記伝送伝達手段に上流ＡＴＭセルを提供するために、前記伝送伝達手段に接続され、ＡＴＭバス・インタフェースは、前記下流ＡＴＭセルに前記シェルフ内でのＡＴＭバス用のガード（ｇｕａｒｄ）・バイトを提供するために前記ＡＴＭ層処理手段からの下流ＡＴＭセルに応答し、前記ガード・バイトなしで前記ＡＴＭ層処理手段に前記上流セルを提供するために、ガード・バイト付きの上流ＡＴＭセルに応答する。
【００２７】
アーキテクチャの構成は、さまざまなケーブル布設技術に適合するように、市内中央局、リモート・サイト及び顧客の敷地に設置される装置について教示される。システム・ビルディング・ブロック（基板、コネクタ、シールド等）は、これらのすべての機能を、中央局、遠隔キャビネット、通廊（ｖａｕｌｔ）に容易に設置することを可能にする高密度シェルフに詰め込む後述する新規なシェルフ内に物理的に配置される。
【００２８】
このようにして、本発明は、加入者に、例えばさまざまなＡＴＭフォーラム仕様で定義される多岐に渡るＱｏＳクラスを提供する可能性を有する新しいパケット技術及びｘＤＳＬ技術を使用して、幅広い構成及びアプリケーションをカバーする高速デジタル・アクセス通信システムを提供する。すでに全ての先進国に布設されている既存の銅ケーブルを使用するため、システムは経済的であり、市内通信交換業者が、ＣＡＴＶ企業のような代替サービス・プロバイダ（このようなプロバイダはその同軸ケーブル設備に過剰なケーブルモデム技術を使用している）と競合できるようにする。システムは、アナログ「ライフライン」ＰＯＴＳの信頼性及び簡略さを保っており、加入者及び電話運営企業は音声サービスを提供する方法を変更することを要しない。
【００２９】
本発明の上記及び他の目的、特徴及び利点は、添付図面に示される最良モードの実施形態の以下の詳細な説明からより明らかになるであろう。
【００３０】
【実施形態】
図１は、本発明に従う加入者アクセス・マルチプレクサ・システムに使用される新しいシェルフ装置１０を示す。図示される実施形態は、ＡＴＭ加入者アクセス・マルチプレクサ（ＡＳＡＭ）システムで使用するためのものであるが、本発明はＡＴＭ実施形態に制限されない。シェルフ１０は、少なくとも１つ又は重複する一対のネットワーク終端（ＮＴ）カード１２ａ、１２ｂ、ＡＤＳＬ（非同期デジタル加入者回線）である最大で１２個のｘＤＳＬ、回線終端（ＬＴ）カード１４、等しい数の低域通過フィルタ（ＬＰＦ）カード２４、オプションの通信ネットワーク構成要素プロセッサ（ＮＥＰ）１６ａ（又はオプションの冗長ペア１６ａ、１６ｂ）、及び警報収集装置（ＡＣＵ）１８によって占められる。ＬＴカードは、図１０に関連して以下に更に詳細に説明されるが、ネットワーク終端カードは、図１４Ａから図１４Ｅに関連して以下に更に詳細に説明する。低域通過フィルタ・カードは、図７Ａ、図７Ｂ、及び図７Ｃに関連して以下に更に詳細に説明する。警報収集装置（ＡＣＵ）１８は、図１５のブロック図に示され、物理的な実施形態は図１６に示される。
【００３１】
これらのカードは図１に図示されるように、シェルフ１０の底部セクション２０内に取り付けることが可能で、例えば高さが６ラック・スペースとなる場合があり、この場合１ラック・スペースは１．７５インチ（４．４５センチメートル）に等しい。シェルフの上部部分２２は、最大で、例えば１２枚の低域通過フィルタ（ＬＰＦ）カード２４を収容するために、例えば高さ３ラック・スペースとなることがあり、各ＬＰＦカードは、そのすぐ下にある関連のＡＤＳＬ−ＬＴ専用のものである。また、シェルフ１０の上部部分２２内には、ＰＯＴＳ（従来の電話サービス）インタフェース用のコネクション２６、ドロップ・チップ／リング線用のコネクション２８、電源用コネクション３０、及び以下に説明するＤＳ−３−ＮＴ装置保護用の小型基盤３２が配置され得る。ＰＯＴＳは、アナログ・ベースバンド形式を取ることができるが、必ずしもアナログ・ベースバンド形式である必要はない。ＰＯＴＳは、ＩＳＤＮのようなその他の形式を取ることがある。低域通過フィルタ２４が、シェルフの上部部分２２の中心にグループ化され、シェルフの上部部分２２の端３３におけるドロップ・チップ／リングのリードのためのＰＯＴＳ用コネクション２６及びコネクション２８が備えられる。低域通過フィルタは、シェルフのスロットに差し込まれるとバックプレーンの中にプラグで接続され、ケーブルには接続しないので、それらは上部部分２２の中心に配置される。他方、コネクション２６、２８、３０及び３２は、シェルフの中心部分上を通過するケーブルではなく、ケーブルへのアクセスを必要とし、シェルフ１９の周辺部近くでこのようなコネクションを容易にするために、端３３に配置される。同様に、ＬＴカード１４は、配線を必要とせず、挿入時にコネクタを介して接続される先のバックプレーンによって他のモジュールに接続されるので、シェルフ１０の下部セクション２０の中心に配置される。このようにして、ＮＴ１２Ａ、１２Ｂ、ＮＥＰ１６Ａ、１６Ｂ及びＡＣＵ１８は、容易なケーブルへのアクセスを提供するために下部セクション２０の端３５に配置される。また、シェルフは、完全に正面からのアクセスのためのものとして設計されていることに留意されたい。シェルフ１０は、例えば、幅４９８ｍｍ、奥行き２８５ｍｍであり、米国装置ラックと欧州装置ラックの両方に適合する寸法で作られる。
【００３２】
ＡＤＳＬ−ＬＴ及びＬＰＦは、カード１枚あたり４回線のサイズで作られる。このようにして、基本的なシェルフは、図１に図示される物理的な構成で４８本のＡＤＳＬ回線をサポートする。
【００３３】
図１Ａは、冗長ＮＴカード、１２枚のＬＴカード、１２枚の対応のＬＰＦカード、及びＡＣＵカードのすべてがその中に差し込まれている、実際のシェルフの正面図である。図１Ｂは、１９２本のＡＤＳＬ回線にサービスを提供するための標準的な構成であり、図１Ｅに示されるような中央局に設置される複数のシェルフを示す。図６に関連して後述するように、ＮＴの代わりに取り付けられる拡張装置を使用することにより、最大４つの隣接するラックが、同じフィーダーを共用することができる。その場合、１枚のオプションで保護されるＮＴカードが、最高５７６本のＡＤＳＬ回線をサポートすることができる。図１Ｃは、カードが取り付けられていない図１Ａのシェルフを示しており、カードを図示のスロットの中にスライドさせることによってカード上の組み合いコネクタを差し込むことの可能なバックプレーンに取り付けられるコネクタを示す。このようにしてフロント・アクセス性が達成される。シェルフの側面は図１Ｄに示される。
【００３４】
変更を加えない場合、ＬＴは上部部分に、ＬＰＦは下部部分に配置される。同様に、さまざまな電源セクション及びコネクション・セクションを、図１に示されるものとは異なる位置に置くことができる。このようにして、ＡＴＭ加入者アクセス・マルチプレクサ（ＡＳＡＭ）シェルフは、新規なものではあるが、特定のアプリケーションに適合させるために、他の物理的な収容構成に加え、追加の構成を備えることができる。米国ラック及び国際ラックの両方に対し互換性のある上記フロント・アクセスシェルフは、高密度、即ち１回線当りの体積が小さい構成を容易にする。また、実用高速（毎秒１５５−６２２  Ｍｂ）バックプレーン・データ・バスも含まれる。それは、単純で柔軟なシェルフＩＤ（識別）機構を有する。コネクター化（Ｃｏｎｎｅｃｔｏｒｉｚａｔｉｏｎ）及び配線は、将来のＢＩＴＳ機能のために設計されている。それは、米国と欧州両方の電磁的適合性（ＥＭＣ）要件を満たす。それは、ＴＷＰ、同軸又はファイバーのためのＮＴ及びＬＴ配線用のカード装置を含む。
【００３５】
上述した通り、それは、ＣＯについて図１Ｂに示すように、あるいは小規模リモート・サイト用の小型サイズ（「ＲＡＭ」）シェルフとして図９に関連して以下により完全に説明するように、最大密度及び最小費用のためのフルサイズのＬＴシェルフとして利用することができる。
【００３６】
図１のＰＯＴＳ低域通過フィルタ（ＬＰＦ）２４は、下側デジタル・アナログ・クロストーク用だけではなくＰＯＴＳのｘＤＳＬ故障に対する抵抗力、保守及び「激しい活動（ｃｈｕｒｎ）」を保証するために、図示されるように別個の装置に含まれる受動フィルタであり得る。言い換えると、ＬＴカード又はＡＤＳＬチャネルの他の特徴は、ＰＯＴＳを妨害することなく維持される。結果的に、総合的な性能は向上する。
【００３７】
図２に、単一銅線ペア３６にサービスを提供する、図１のグループ１４、２４からのＬＴ／ＬＰＦペアの機能ブロック図を示す。１本の単一のツイスト・ペア銅線３６が図示されているが、好ましい実施形態は、ＬＴ／ＬＰＦカード・ペアごとに４本のツイスト・ペア銅線を含むことに留意されたい。言い換えると、ＡＤＳＬシェルフ・セクション３４内に示されるＬＴ／ＬＰＦブロックは、図１に示される１つのＬＴ／ＬＰＦペアについて４つである。（図１０のＬＴカードを参照のこと）。
【００３８】
図２に示されるように、ＡＴＭセルとして初期化されるＡＤＳＬデータ・ストリームは、破線４４の左側にあるＡＤＳＬシェルフと線４４の右側の加入者敷地の両方で高域通過フィルタ３８、３９、及び低域通過フィルタ４０、４２を使用することにより、オーバレイ様式で電話専用（ＰＯＴＳサービス）として正規に使用される、銅線ペア３６により搬送される。線４４は、加入者への銅線の引き込みが開始する場所を表す。通常、ＡＤＳＬシェルフ・セクション３４は、図１Ｂに示す中央局内のラック内部の図１Ａに示すようなシェルフ１０の一部である。中央局内には、ＣＯ交換機４６及びＡＴＭ交換機４８等のパケット交換機が設置される。広帯域交換機は、更に上流の他の場所に設置可能である。ＣＯ交換機４６は、公衆交換電話ネットワーク（ＰＳＴＮ）のような交換電話ネットワークへの接続のためのものである。該交換電話ネットワークは、回線５０によりツイスト・ペア銅線３６にサービスを提供し、更に顧客側の銅線５２を介し、通常の音声通信のための電話への接続のために、顧客の敷地の境界を表す図２の右側の破線により示す顧客敷地にサービスを提供する。しかし、ＡＤＳＬシェルフ３４を、ＤＬＣ（デジタル・ループ・キャリア）シェルフに関連する遠隔のキャビネットに配置することは容易であり、更に後述するように、ＡＴＭトラヒックとＰＯＴＳの両方はＳＯＮＥＴ（同期光ネットワーク）トランスポート製品などによりそこに搬送される。
【００３９】
ＡＴＭ交換機４８は、インターネット・サービス・プロバイダ（ＩＳＰ）及び他の高帯域サービス・プロバイダを含む、さまざまなサービスへの接続を提供するＡＴＭネットワークへの接続用のものである。ＡＴＭ交換機４８は、低域通過フィルタ４０によって提供される通常の電話信号と組み合わせるためにジャンクション・ノード６６に回線６４によりＡＤＳＬ信号を提供するための高域通過フィルタ３８を有するカード６２のような複数のＡＤＳＬ回線終端（ＬＴ）カードに接続されるネットワーク終端（ＮＴ）カード６０に、回線５８によりＡＴＭフォーマットされたデータを提供する。
【００４０】
このようにノード６６は、周波数分割多重化手段を形成する。即ち、回線５０による低周波のＰＯＴＳサービスを、フィルタ３８を通過させ、ツイスト・ペア銅線３６のノード６６における電話サービスと組み合わせるために回線６４に送るためにより高い周波数でＬＴ６２によりＡＳＤＬに変換される、回線５８により提供される高帯域サービスと組み合わせる。図１２は、例えば０−４  ｋＨｚのベースバンドでの、４０  ｋＨｚと１．１  ＭＨｚの間のＡＤＳＬ信号に使用されるＤＭＴ技術によるＰＯＴＳサービス用の帯域幅割当ての例を示す。この場合、下流に使用するために割り当てられるスペクトルは、上流に割り当てられるスペクトルよりはるかに大きく、したがって「非対称」デジタル加入者回線（ＡＤＳＬ）と呼ばれる。
【００４１】
図２に戻ると、顧客端５４で、ノード６８を使用すると、電話信号をネットワーク・インタフェース・デバイス（ＮＩＤ）（図示されていない）内の低域通過フィルタ４２に通す前に、回線３６上の信号を回線７０上で分割できる。ＮＩＤは、家の壁の上に取り付けるためのエンクロージャ（ボックス）である場合があり、ノード６８とＬＰＦ４２の両方ともＮＩＤ内部にある。回線７０は、回線７４上の高帯域信号を、パーソナル・コンピュータ（７６）などにより顧客敷地装置に提供するために、回線７０で信号を高域濾波し、ＡＤＳＬ信号を復号化するＡＤＳＬモデム７２に接続される。ＮＩＤエンクロージャは、例えば、米国特許出願シリアル番号（代理人事件整理番号第９０７−１５８号）の付された「低域通過フィルタを電話ネットワークインタフェース・ボックス内に取り付けるための装置」と題する、本願と同一の日付で出願された係属中の共願に係る特許明細書に図示されるようなものであり得る。
【００４２】
図２の回線３６上の信号の信号スペクトルのベースバンド部分でのＰＯＴＳ信号は、通常のアナログモデム、更には機械化されたループテスト（ＭＬＴ）信号を含み得る。そのいずれもＡＤＳＬサービスによって劣化せず、またＡＤＳＬサービスに影響を及ぼすこともない。
【００４３】
図２に示される機能ブロック図は、顧客に対するデータ経路と電話経路の両方を示す。シェルフ（基本シェルフ）アーキテクチャは、更に図３に示される。基本シェルフ１０は、本願と同一の日付で出願された、「優先順位が付けられたデータ伝送の方法及びデータ伝送装置」と題する、係属中の米国暫定特許出願シリアル番号（代理人事件整理番号第９０２−５８３号）に更に完全に説明されるように、制御リード７８を含む「ＩＱバス」を具備する。従来技術で知られているように、多くの任意の種類の端末装置が１つの共通した媒体又はバスにアクセスする必要がある場合はつねに、例えば許可信号が出されると、各端末装置が割り当てられている優先順位値に基づいて従属フェーズに入るような、なんらかのアクセス許可基準が必要とされる。この問題は、低い優先順位が設定されている端末はアクセスを取得し得ないという公平さに関する問題である。要するに、図３Ａに示されるように、ＩＱバスの発明により、装置がアクセスを取得しない場合、その優先順位を高めることができるように、各許可サイクル後に優先順位は適応可能にされる。更に、優先順位の値を、端末装置によって要求されるアクセス・モードにリンクさせることができる。即ち、直の範囲を保証セル速度（Ｇｕａｒａｎｔｅｅｄ  Ｃｅｌｌ  Ｒａｔｅ）ＧＣＲ（ＡＴＭベースのバスの場合にはＣＢＲ、ＶＢＲ、ＡＢＲ）、非保証セル速度（Ｎｏｎ−Ｇｕａｒａｎｔｅｅｄ  Ｃｅｌｌ  Ｒａｔｅ）ＮＧＣＲ（ＡＴＭベースのバスの場合にはＶＢＲ、ＡＢＲ、ＥＢＲ）のような各アクセス・モードに割り当て、優先順位の上昇をそれぞれの範囲の境界線によって制限する。例えば、５つの異なったレベルのＱｏＳクラスが図３Ａの左側に図示され、保証セル速度と非保証セル速度サブクラスの両方を備える低い方の３つのクラスが示されている。固定速度サービス（ＣＢＲ）及び可変速度サービス−リアルタイム（ＶＢＲｒｔ）クラスは、保証されなければならないため、非保証セル速度（ＮＧＣＲ）を持たない。非保証セル速度は、上部に保証サブクラスを備えるＱｏＳサブクラスを示す、右側の優先順位マッピングの底部にグループ化されて示される。それにも関わらず、本発明によれば、非保証帯域幅のオーバーブックは、図示の優先順位だけではなく、図３Ａのいちばん右側に示されるようなエージング機構も提供することによって許容される。サービスの非保証クラスに加入している端末が所定時間内にアクセスを取得しないと、その優先順位は、選択されたアルゴリズムに従って、更に高いアクセス確率が設定されるアクセス・モードに相当する範囲の値に高められる。優先順位の値を定義する１つの特定の方法の例が図３Ａに示されており、２１５−１の優先順位の値が、（例えば）ＱｏＳサブクラスの間で定義され、均等に割り当てられている。例として、硬化（ｈａｒｄｅｎｅｄ）ＵＢＲ  ＱｏＳクラスでは、保証セル速度（ＧＣＲ）は、通常、毎秒セル数として定義される。その逆数によって定義される時間を持つ期間は、図３Ａに示されるように定義することができ、最低サブクラス（非保証硬化ＵＢＲ）からのセルの優先順位が、待機時間Ｔ＝１／ＧＣＲ秒後にバスへのアクセスを許可されない後にどのようにして高められるの��を示している。示される例では、優先順位は、保証硬化ＵＢＲサブクラスの優先順位に単一のステップで高められ、最低サブクラスの最小セル速度を満足の行くように実現する。これらの教示は、アクセス・モードのタイプ及び合意されたアクセス・パラメータに基づいてアクセスを許容する柔軟な方法を有利に提供する。ＩＱバスは、このようにして、独自の許可機構と公平アルゴリズムによって識別される。これは、複数のＱｏＳクラスにクラスごとの複数のセル優先順位を与える。これは、セルがベルコア（Ｂｅｌｌｃｏｒｅ）仕様書ＧＲ−１１１０に定義されるサービス・パラメータのクラスに従うことを確実にするために、ＱｏＳ優先順位機構だけではなく、セル・エージング優先順位機構を用いる。それは、多重化バス上での障害を早期に特定、分離できるようにするフォールト・トレランス及び回復機構を含む。それは、図６に関連して後述するように、冗長拡張機能も備える。ＩＱバスは、本願と同一の日付で出願された、「優先順位ベースのアクセス制御方法及び装置」と題する係属中の米国暫定特許出願シリアル番号（代理人事件整理番号第９０２−５８１号）に記載される初期の「Ｉ＊バス」（ＱｏＳなし）に基づく。
【００４４】
図１及び図３の両方に示されるように、ＮＴ１２ａ、１２ｂは、冗長構成又は非冗長構成として提供される。このアーキテクチャでは、通常のＮＥ処理は、ＮＴによって実行され、ＮＴは、ＳＯＮＥＴユーザ・ネットワーク・インタフェース（ＵＮＩ）インタフェース又はＤＳ−３  ＵＮＩインタフェースのいずれかとして、あるいは後にＤＳ１逆多重化ＵＮＩインタフェースとして提供される。ＳＯＮＥＴ  ＮＴが冗長ペアとして提供されると、ベルコア文献ＧＲ−２５３に詳説される通常の１＋１切替機構を使用することにより自動保護切替（ａｕｔｏｍａｔｉｃ  ｐｒｏｔｅｃｔｉｏｎ  ｓｗｉｔｃｈｉｎｇ）（ＡＰＳ）が提供される。ＳＯＮＥＴ  ＮＴでは、物理インタフェース（ファイバ）が、ＮＴ自体のフェースプレート（図１４Ｃと図１４Ｄを参照のこと）に位置し、補助的なインタフェース回路の必要はない。ただし、ＮＴがＤＳ−３ポートとして提供される場合は（ケーブル保護が付かない）装置保護が、シェルフ内のＮＴの上に取り付けられる、図１に示すＤＳ−３  Ｉ／Ｏ基板３２を使用して提供され、単一のＤＳ−３設備（同軸ケーブルＴｘ／Ｒｘペア）を分割し、いずれかのＮＴによって、アクセスすることを可能にする（相互ＮＴ（ｉｎｔｅｒ−ＮＴ）通信は、どちらがアクティブなのかを決定する）。
【００４５】
上記から、ＡＤＳＬシェルフ・アーキテクチャの中心が前記ＩＱバス及び制御リード７８であることが理解される。ＩＱバスは、ＮＴ物理インタフェースと同じ有効速度でマルチプレクサとして効果的に動作する。ＡＤＳＬ−ＬＴは、（ベルコア文献ＧＲ−１１１０及びＡＴＭフォーラム規格に定義されるような）複数のクラスのサービスを提供するので、許可機構は、提供される各サービスに必要とされるＱｏＳパラメータを満たすために、更に高い優先順位の上流セルにこのＡＴＭ  ＭＵＸバスに対する更に大きなアクセスを与える。前述のように、ＱｏＳ要件と相対的な公平――（サービス保証に基づいた）重み付け優先順位機構及び（セルが許可を待つ時間に基づいた）エージング機構――を保証するためにセル優先順位についての２つの方法を選択できる。この機構は独自のものであり、上記の暫定特許出願シリアル番号（代理人事件整理番号第９０２−５８３号）の主題である。
【００４６】
図３のＡＣＵ１８は、図１５にブロック図として示され、以下の機能を実行する。
【００４７】
（１）回線８０により外部顧客に指定された警報接点を収集し、これらのイベントを回線７８経由でＮＴ１２ａに送る、（２）ラックの故障表示を収集し、この情報をＮＴ１２ａに送る、（３）ＮＴから処理された警報データを受け取り、ＡＣＵのフェースプレートに警報状態（重大、メジャー、マイナー）を表示するとともに、回線８２を介してラック・ヒューズ・パネルとＣＯ警報インタフェースに視覚及び聴覚（及び遠隔警報）警報のための接点信号を提供する。また、ＡＣＵは、以下も含む。（４）（回線８２を介するリモートＡＣＯ機能に加え）新規警報が検出されるまで音声警報を停止させるための警報遮断（ＡＣＯ）機能、（５）（ＮＴ内のプロセッサへのリンクを使用して）ＡＤＳＬ  ＮＥのＱＡＭ機能とＰ機能を制御するためのクラフト・インタフェース・ポート８４、（６）ＮＥＰを介するＯＳ接続用のイーサネット・ポート、及び（７）ランプ試験機能。
【００４８】
システムが複数のラックを含む場合は、ラックごとに１枚のＡＣＵカードが提供される。ＡＣＵは、複数のシステムが所定ラックに存在する場合はＮＴ（又は冗長ＮＴペア）ごとに提供される。非常に広い帯域幅が、単一のシェルフによってサービスされる場合、複数のシステムが所与のラックに存在する。このような場合、単一のシェルフが、ＯＣ−３ケーブル又はＤＳ−３ケーブルの帯域幅全体を使い得る。
【００４９】
図３及び図１０に示されるように、各ＡＤＳＬ  ＬＴ１４ａ、１４ｂ、．．．１４ｌは、本発明に従い、データ・トランスポート・フォーマットとしてＡＴＭセルを使用し、Ｔ１．４１３（図１２を参照）ごとにＤＭＴ（離散マルチトーン）を介して対応の顧客敷地にある最大４台のリモート・モデム（ＡＤＳＬ  ＮＴ又はＮＴ）と通信する。加入者は、低周波サービス（電話）をより高い周波数サービス（ＡＤＳＬ）から分離するために、例えば、ＮＩＤ（ネットワーク・インタフェース・デバイス）ボックス内の自宅の外壁に低域通過フィルタ（ＬＰＦ）４２を取り付けることができる。前述したように、このようなＬＰＦを既存の設計のＮＩＤ内に取り付ける方法は、本願同一の日付で出願された、係属中の米国特許出願シリアル番号（代理人事件整理番号第９０７−１５８号）に示される。２つのサービスは、いったん分割されると、家の内部の異なるツイスト・ペアを使用し、ＡＤＳＬペアは、ＡＮＴに終端するかあるいはＮＩＣ（ネットワーク・インタフェース・カード）を介してＰＣに直接終端する。例えば、ＡＮＴには、次の２つのタイプがある。その一つはＡＴＭＦ毎秒２５．６Ｍｂインタフェース付きのものであり、他の一つはイーサネット・インタフェース付きのものである（この場合は、ＡＮＴは、ＡＡＬ５（ＡＴＭ適応層５）プロトコルを使用して、イーサネット・データをＡＴＭセルとしてパッケージする）。両方のオプションとも、図１３Ｂに示されるように、同じＡＮＴで提供できる。
【００５０】
また、基本シェルフ１０は、図１と図３に示されるように、ＩＱバス７８機構を介して通信し、どちらがアクティブであるのかを判断するために、別個のリード線８６を介してその冗長パートナーと通信する、オプションの通信ネットワーク構成要素プロセッサ（ＮＥＰ）冗長ペア１６ａ、１６ｂも含む。ＮＥＰは、ＳＶＣ（バーチャル・コール）サービス又はＰＶＣ（相手固定接続）サービス用の信号チャネルを終端させ、且つＡＣＵイーサネット・ポートを終端されることができる。
【００５１】
現在のところ、図１と図３の２枚のＮＥＰカード１６ａ、１６ｂは実現されていないが、そのための２つのスロットがある。ＳＶＣ（バーチャル・コール）信号チャネルを終端させ、処理するために、且つイーサネット終端をＡＣＵイーサネット・ポートに提供するために、後で使用可能となることが予定されている。今のところＮＥＰカードに予定されている他の機能はない。
【００５２】
図４に示されるように、基本シェルフ１０は、「ハブ」シェルフ９０としても使用可能であり、ＤＳ−３−ＬＴ又はＯＣ−３、ＤＳ−１逆マックスＬＴなどの他のカードが挿入された１つ又は複数のＡＤＳＬ−ＬＴスロットを有する。各ＤＳ−３−ＬＴは、図４に示されるように、連結された「リモート」ＡＤＳＬシェルフ９６、９８にハブを接続する。このようなケースでは、ハブのために、ＤＳ−３―ＬＴ上の「ＬＰＦ」モジュールはＤＳ−３−ＬＴインタフェース・モジュールと交換される（非冗長動作用の１つのタイプ及び冗長ＤＳ−３「装置保護」動作用の別のタイプ）。第３のタイプのＤＳ−３ＬＴインタフェース・モジュールを、冗長バス動作のために提供することが可能であり、このＤＳ−３−ＬＴは（シェルフごとに１つのＩＱバスしかないために）信頼性のため別のシェルフにある。本発明のアーキテクチャは、これらの冗長性オプションのそれぞれを新規に提供する。
【００５３】
図４Ａは、ＬＴ−ＬＰＦバックプレーン配線をＬＴトランシーバーとともに示す。この場合、ＬＰＦカード及びＬ／Ｔカードは、同じシェルフ、又は別のシェルフのどちらかのＬＴスロットに差し込まれるＬ／Ｔカードの冗長性のために構成される。例えば、図４Ｂには、非冗長オプションＬ／Ｔが、ＬＰＦスロット１に差し込まれたＤＳ−３インタフェースとともに示され、ＣＯ交換機からの入力及び出力のＤＳ−３同軸ケーブルが、ＬＰＦスロット１に挿入するためのＤＳ−３インターフェースカートに接続されており、それは、図４のＤＳ−３−ＬＴカード９２のようなＬＴスロット１に差し込むための、ＤＳ−３−ＬＴカードにバックプレーンを介して接続される。低域通過フィルタ機能は、ＤＬＣが使用可能である図４のリモート・シェルフ９６で実行される。図４Ｂに示されるＬＴスロット１及びＬＰＦスロット１用の構成も、後述するように、図４Ｅに関して使用可能である。
【００５４】
図４Ｃは、例えば、指定されたシェルフのＬＴスロット１及びＬＴスロット２に差し込むための冗長ＤＳ−３−Ｌ／Ｔカード付きのアプリケーションを示す。この場合、別種のＤＳ−３  Ｉ／Ｏカードが、ＬＰＦスロット１とＬＰＦスロット２の両方に接続する送信（ＴＸＡ／ＴＸＢ）及び受信（ＲＸＡ／ＲＸＢ）バックプレーン配線の両方に接続されているカード上にあり中心にタップを有する変圧器により図示されるように二重の幅で使用される。ＮＴは、どのＬＴスロットをアクティブとすべきかを制御する。
【００５５】
図４Ｄは、図４Ａに似ているが、冗長なＤＳ−３−ＬＴ間でのインタフェースの調停を更に示す。
【００５６】
上述したように、１つのシェルフに１つの非冗長ＩＱバスしかないため、図４Ｃに示されるスロット１及びスロット２内のＡ冗長ＤＳ−３−ＬＴカードとＢ冗長ＤＳ−３−ＬＴカードによる装置保護は、ＩＱバス自体に故障があると無効となる。この種の故障を回避することが望まれる場合には、図４Ｅに示すようなＤＳ−３カードにおける別のタイプの冗長性を提供することができる。その場合、送信信号及び受信信号の半分がシェルフで使用され、残りの半分は、同じシェルフのスロット２ではなく別のシェルフに送られる。このため、図４Ｅに示される上部の２本のケーブルは、別のシェルフに導かれ、別のシェルフ内の図４Ｂに示されるＤＳ−３出力変圧器及びＤＳ−３入力変圧器に接続される。図４ＥのＤＳ−３出力・ケーブル及びＤＳ−３入力・ケーブルは、ＣＯ交換機又はその他の通信ネットワーク構成要素に向かう。
【００５７】
図４から分かるように、ＡＤＳＬシェルフ９０は、ＡＤＳＬ−ＬＴ１４ａ及びＤＳ−３−ＬＴＳ９２，９４のような集合体タイプのＬＴの両方を備える。両方の場合のサービス・クラスは、サービス・クラス（ＣＢＲ、ＶＢＲ、ＵＢＲなど）ごとに別々のバッファによって加入者に提供される。各バッファは制御リード線を介してＩＱバスへの上流アクセスのために競合し、許可機構は、各上流セルに割り当てられる優先順位に部分的に基づいている。図４のハブ９０に示されるような集合体Ｌ／Ｔの場合では、サービス・クラス・バッファは、遠隔加入者にハブが動作する帯域幅の公平なシェアを割り当てるために、各バッファの集合体セル優先順位の総計（又はパーセンテージにも）に等しいセル優先順位を有する。上流トラヒックが混雑する時には、渋滞及びＤＳ−３−ＬＴバッファのオーバフローは、ＤＳ−３リンク帯域幅を制限し、（トラヒック・ピークが治まるときまで）リモートＡＤＳＬ−ＬＴでの一時的なバッファ充填を可能にすることによって管理される。ＰＯＴＳインタフェースは図４には示されていないが、通常は、近くに配置されるかあるいはリモート９６，９８に組み込まれるＤＬＣなどによって提供される。
【００５８】
図５は、ＣＯ交換機１０２とＡＴＭ交換機１０４を備え得る中央局１００に配置する図４のハブ９０を示す。ＣＯ交換機は、公衆交換電話ネットワーク（ＰＳＴＮ）１０６、及びさまざまなインターネット・サービス・プロバイダ１１２、．．．、１１４を含むことがある他のサービス１１０に接続されるＡＴＭネットワーク１０８  へのＡＴＭ交換機に接続される。図４に示されるように、ハブ・シェルフ９０は、カード１４ａのようなＡＤＳＬ  ＬＴカード及びＤＳ−３  ＬＴカード９２、９４を含むさまざまな他のカードの両方によって占められる。図４ａのＡＤＳＬ  ＬＴカード１４ａからの４つの銅線ペアは、図４と図５には複数の銅線ペア１１６として示されている。これらのリード線は、詳細に示される顧客敷地１１８を含む、図示のハブとさまざまな顧客敷地との間のＡＤＳＬリンクを直接提供する。図１に示されるように、シェルフ９０がＡＤＳＬ  ＬＴ１４専用に使用されると、加入者回線のすべてが、シェルフ９０をハブとして使用せず、且つ図５のリモートを使用しない回線１１６のようになる。言い換えると、４８の異なる顧客敷地にサービスを提供するＡＤＳＬ回線１１６に加えて、４ＰＯＴＳの１２のグループがある。図５の形態は、単一のシェルフが多くの顧客敷地にサービスを提供するが、それに伴い上流帯域幅では競合が強まる。これは、大多数の加入者がより低い質のサービスを使用している場合には許容される。
【００５９】
低域通過フィルタ１２０は、顧客の敷地で加入者回線を終端するためのネットワーク・インタフェース・デバイス装置（図示されていない）に取り付けられる。それは、銅線ペアからの低周波電話信号以外のすべてを濾波して取り除き、それを音声通信用の従来の電話１２４に回線１２２を介して提供する。低域通過フィルタは、高周波ダイヤル・パルス又はリング・トリップ過渡現象（ｒｉｎｇ  ｔｒｉｐ  ｔｒａｎｓｉｅｎｔｓ）も、それらが上流方向で高速データ・トラヒックと干渉しないように濾波する。図示されるように、低域通過フィルタの手前に接続される第２銅線ペアは、例えばインターネット・アクセス又は他の高帯域幅サービス１１０のために、高域通過濾波の後に、ＡＤＳＬ信号を復調、復号化し、回線１２８上で、パーソナル・コンピュータ、インターネット・コンピュータなどのユーザ端末１３０に出力ビットを提供するＡＤＳＬモデム１２６に提供される。ＡＤＳＬモデムは、はるかに狭い帯域幅ではあるが、反対（上流）方向でも動作し、ビットを符号化し、加入者からＡＮＳＩ  Ｔ１．４１３に従ったＡＴＭネットワーク（図１２を参照）にＡＤＳＬ回線上にビットを変調することに留意されたい。
【００６０】
図４のリモート・シェルフ９６、９８は、図５にも示されており、敷地１１８に類似するさまざまな顧客敷地に接続される。
【００６１】
図６は、図１に示されるような複数のＡＤＳＬシェルフ１０ａ、１０ｂ、１０ｃ、１０ｄが、それぞれの後続のシェルフ内の延長カード（ＥＸＴ）によってラック内にデージーチェーン接続される、本発明アーキテクチャーの上記の特徴を詳細に示す。延長カードの機能は、ＩＱバス（例えば最大１２のシェルフがデージーチェーン接続される）をシェルフからシェルフに効果的に拡張し、システムへの最大５７６人のＡＤＳＬ加入者をアクセスを可能にすることである。言い換えると、延長カードを使用すると、第１シェルフ内のＮＴカードは、別のシェルフ又は複数のそれ以外のシェルフ用のＮＴカードとして動作可能である。即ち、このケースでは、１２のデージーチェーン接続されたシェルフを有する３つのラックである。延長カードは、後続のシェルフのＮＴスロット内で、図６に示されるように取り付けることが可能であり、冗長となり得る。その場合、ＮＴ又は延長カード・バンクが故障すると、すべてのＬＴが「Ａ」ＮＴ／延長ストリングから「Ｂ」ストリングに切り替わる。その場合、アクティブ・ストリングは、各シェルフのＩＱバスの制御を引き継ぐ。（各シェルフ内の）ＩＱバス自体は冗長ではないが、ＮＴは、障害を分離し、それをサービスから削除するために、各ＬＴをＩＱバスから削除する（ディスエーブルする）能力を備えているので、信頼性要件を満たす。
【００６２】
上に示唆されるように、ＰＯＴＳ低域通過フィルタは、前述したような最大実装密度、最小配線取付け複雑度、及び最小費用のためのＣＯシェルフ内での「統合型」、あるいは規制の柔軟性及び既存の（混雑した）ＤＬＣキャビネットに対するアクセスのための「別体型」（リモート、非統合型）を含むさまざまなオプションのために提供される。
【００６３】
図７Ａは、概略ブロック図として図１に示されるＬＰＦカード２４の中の１つの低域通過フィルタ・カードを示す。各カードの左側には、回線５０を介するＣＯ交換機４６経由の狭帯域（Ｂ）ネットワークへの接続のための音声部分がある。各低域通過フィルタ／スプリッタの右側には、加入者へのツイスト・ペア銅線３６とＬＴ６２の高域フィルタ３８の両方に接続されるポートがある。（図２参照）このような４チャネルＬＰＦカードの物理的な寸法の側面図は図７Ｂに示され、正面図は図７Ｃに示される。
【００６４】
図７Ｄは、低域通過フィルタがＡＤＳＬシェルフからリモートでなければならないアプリケーションで使用するためのスプリッタ・シェルフを示す。このようなシェルフは、例えば、（ａ）別々のサービス・プロバイダが電話サービスとＡＤＳＬサービスを提供する場合、又は（ｂ）ＤＬＣ装置の遠隔キャビネットがＡＤＳＬ装置を（物理的な空間の欠如が原因で）収容できないが、加入者伝送ペアがＤＬＣキャビネットで終端する（小型低域通過フィルタ「スプリッタ」に十分な空き場所が使用できる）ので、このシェルフだけをＤＬＣキャビネット内に取り付けることが可能なＤＬＣ（デジタル・ループ・キャリア）構成において、使用することができる。
【００６５】
この場合には、基本的なｘＤＳＬシェルフは、上記に示したように使用されるが、ＬＰＦ基板は配置されていない。また、図７に示されるような別個の「スプリッタ」シェルフが提供され、図１の基本ｘＤＳＬシェルフ１０の上部部分と同じ、又は非常によく似た構成を備える。リモート・スプリッタ構成との主な相違は、配線と「積み重ね可能な」コネクタの使用である。スプリッタ・シェルフは図７に示され、スプリッタ・シェルフを使用する典型的な構成は図８に示される。初期の形態では、ＬＰＦ（及びスプリッタ・シェルフ）は、すべての回路が受動であるため電源を必要としない。
【００６６】
図８Ａは、ＡＤＳＬサービスを既存の金属で供給される（ｍｅｔａｌｌｉｃ−ｆｅｄ）ＤＬＣにＡＤＳＬサービスを追加する場合に使用可能な遠隔キャビネットを示す。この構成は、３００２型キャビネット内の最大９６本の回線をサポートする。
【００６７】
図７、図８及び図８ＡのＬＰＦの別体化に加えて図１に示されるような低域通過フィルタのＬＴからの「別体化（ｓｅｐａｒａｔｅｎｅｓｓ）」は、上記の理由、即ち電話サービス及びＡＤＳＬサービスを別々のサービス・プロバイダがそれぞれ提供することを容易にするために有利であるだけではなく、本発明に従った、ライフライン電話サービスをＡＤＳＬサービスから物理的に分離するいう非常に重要な理由のために有利である。このような物理的な独立は、システムのＡＤＳＬ部分で実行される必要性のある全てのメンテナンスを物理的に分離し、したがってＰＯＴＳサービスに影響を及ぼさない（あるいはその逆）ように実行することを可能にすることを保証するので、ライフラインＰＯＴＳサービスの統合性のレベルを高める。
【００６８】
別の装置シェルフは、図９に示されるＲＡＭ（リモートＡＤＳＬマックス）シェルフである。このシェルフは、図４に示されるリモートＡＤＳＬシェルフ９６、９８に非常に類似して配置され、図３に示されるシェルフ・アーキテクチャと同じシェルフ・アーキテクチャを備えることができる。相違点は、ＲＡＭシェルフが、例えばわずか２４本の回線しか必要とされず、更に小型のシェルフ（６ＲＳ対９ＲＳ）が望まれるＣＰＥアプリケーション又はＤＬＣアプリケーションにより適しているという点である。このようにして、ＲＡＭシェルフは、例えば図９に示されるように設計され、物理的に構成される。これは、本発明のアーキテクチャのｘＤＳＬシェルフの柔軟性を示す。
【００６９】
図１０は、図１、図３及び図４のＡＤＳＬ  ＬＴカード１４ａの内の１つの機能ブロック図を示す。さまざまな機能ブロックは、ＤＭＴ技術の譲受人のＡＤＳＬチップ・セットを用いることによっての形態で実現される。このチップ・セットは、ＡＴＭ機能用のＲＣＨＡＰ、リードソロモン符号化と復号化用ＤＡＣＨＡ／ＳＡＣＨＡチップ、及びＡＤＳＬＢと呼ばれるフロントエンドＤＳＰチップ３個のチップ（集積回路）を含む。残りのブロックは、チップ・セットの外部の他の手段によって実行されるのが好ましい。３個のチップ・セット、ＲＣＨＡＰ、ＳＡＣＨＡ及びＡＤＳＬＢは、ＡＤＳＬシェルフ３４内のＬＴ１４ａと顧客の敷地にあるＡＤＳＬモデム７２の両方にあるチップ・セットを簡略化されたブロック図として表す図１１にも示される。
【００７０】
ＲＣＨＡＰＢチップによって実行されるＡＴＭ機能は、ＡＴＭセルの５４バイトのスロット内でのカプセル化及び２つの別個のＩＱバス、つまり上流と下流へのアクセスの処理である。また、（セル間の）上流ＩＱインタフェースにより、あるＬＴから別のＬＴへの切替を可能にするために、５３個の標準ＡＴＭセルに追加されるダミー・セルもある。下流ＩＱインタフェースでは、このバイトは充填されず、上流ＩＱインタフェース上で、バスはこのバイトの期間、高インピーダンス状態にある。
【００７１】
ＡＴＭネットワークを介して搬送されるメイン・エンティティは、それぞれが固定サイズの２つの部分に分割されるセルである。即ち、ヘッダ（５バイト）と情報フィールド（４８バイト）である。ＡＴＭセルのヘッダの値に応じて、保守セルの挿入と抽出、セル速度減結合、ヘッダ誤り制御（ＨＥＣ）生成／チェック、ペイロード・スクランブル、セル・ループバックなどの多くのＡＴＭに関連する機能が実行される。
【００７２】
ＡＤＳＬ回線上で送信されるデータは、ビット誤り率を改善するためリードソロモン（ＲＳ）符号化によって順方向誤り訂正（ｆｏｒｗｒｄ  ｅｒｒｏｒ−ｃｏｒｒｅｃｔｅｄ）（ＦＥＣ）される。バースト・エラーに対する更に優れた保護のために、インターリーブの可能性が取り入れられるが、インタリーブされたデータの転送遅延の増加という不利な点が生じる。ＲＳエンコーダの手前でデータをランダム化するためにスクランブルが行なわれる。ＲＳデコーダの後、データはスクランブル解除される。
【００７３】
また、リードソロモン（デ）コーディングの他に、ＳＡＣＨＡチップ・セットによって実行されるのが、マッピングとデマッピング（ｄｅｍａｐｐｉｎｇ）である。ＡＤＳＬシステムでは、例えば、最大２５６種類の搬送周波数を使用することができる（図１２を参照）  ＤＭＴアプローチが用いられる。これらの周波数のそれぞれは、マッピング・テーブルに従った多数のビットを搬送する。マッパー（ｍａｐｐｅｒ）の機能は、ビットをさまざまな周波数に割り当てることである。また、マッパーは、リンク初期化と保守のためにいくつかの特殊ＤＭＴ記号を送信することもできる。デマッパーは、受信された記号を復調し、モニタする。復調後、それは、データをチップに実装されたＲＳデコーダに送る。いくつかの特殊機能は、ＡＤＳＬリンクの初期化と保守のためにｄｅｍａｐｐｅｒに具備される。ＡＤＳＬｍａｐｐｅｒの例は、１９９６年７月１０日に出願され、７ページの５行目から９ページの２３行目までに説明される係属中の、共願の特許シリアル番号第０８／６７７，４６８号の図１に示される。類似の説明は、本願と同一の日付で出願され、「漏れを削減するための方法及びユニット、フーリエ変換器、及び該ユニットが使用されるＤＭＴモデム」と題する、係属中の暫定特許出願シリアル番号（代理人事件整理番号第９０２−５７５号）の５ページ１０行目から７ページ２６行目に示される。
【００７４】
マッパーの出力は、すべての搬送周波数の複素数表現である。逆高速フーリエ変換器は、この表現を時間信号に変換するために使用される。ＩＦＦＴと協力して、キャリア選択式スケーリングをインストールすることができる。上流方向では、ＦＦＴは、受信された時間信号を周波数表現に変換するために使用される。
【００７５】
フロントエンド・デジタル信号処理の主要な機能は、受信信号を可能な限り送信信号から分離し、回線特性及びアナログ・フロントエンド特性を考慮して補正することである。
【００７６】
ＡＤＳＬＢチップ機能は、アナログ／デジタル（Ａ／Ｄ）変換及びデジタル／アナログ（ＤＡ）変換を含む。加入者回線アナログ・フロントエンドの機能とは、アナログ回線インタフェースの終端、及び物理加入者回線３６を介して送られるデジタル・データのアナログ通過帯域信号への変換及びその逆の変換である。Ｄ／Ａ変換とＡ／Ｄ変換のため、シグマ−デルタ（ΣΔ）アプローチが使用される。
【００７７】
図１１に示されるように、加入者回線アナログ・フロント・エンド機能は、加入者回線に送信するのに適切なレベルまでＡＤＳＬＢ出力を増幅させるために使用される回線ドライバを有する。公称インピーダンスで加入者回線の終端を実行し、上流端でのＬＴ内での４ワイヤと２ワイヤの間の変換を処理する、受動ネットワークとしてハイブリッドが備えられる。ハイブリッドは、上流信号と下流信号との間の上流方向での分離、及び下流方向での結合を実行する。その逆は、回線の下流端で実行される。
【００７８】
図１０に戻ると、ＬＴ１４ａは、４人の別々の加入者のために４本の別々の回線終端経路を備えることに留意されたい。図１０又は図１１には示されていないが、ツイスト・ペア銅線は、図１０と図１１に示されるＨＰ−フィルタとハイブリッドだけではなく、図２に示される低域通過フィルタにも接続されることに留意されたい。図１０Ａは、ＬＴカードの正面図を示し、図１０Ｂは側面図を示す。
【００７９】
図１２に示されるように、ＰＯＴＳ信号及びＡＤＳｌ信号は加入者回線上で周波数多重化されて搬送されるので、以下に示す機能を実行する、ＰＯＴＳ低域通過フィルタ２６を必要とする。即ち、（１）ＰＯＴＳ伝送信号とＡＤＳＬ伝送信号を加入者の敷地に向かって結合する、（２）ＰＯＴＳ信号とＡＤＳＬ信号を加入者の敷地から分離する、（３）ＰＯＴＳを、ＡＤＳＬモデム及びＡＤＳＬシェルフからの信号によって生じる可聴干渉から保護する、及び（４）ＡＤＳＬ受信機をすべてのＰＯＴＳ関係信号、特にダイヤル・パルス、呼び出し信号、及びリング・トリップ過渡現象から保護する機能である。
【００８０】
これらの機能は、  ＡＮＳＩ規格Ｔ１．４１３の要件のような、戻り損失、挿入損失、及びグループ遅延などのＰＯＴＳ性能に対するすべての要件を満たしつつ実行される。ＰＯＴＳ信号とＡＤＳＬ信号の結合及び分離は、図２に示されるように、低域通過濾波及び高域通過濾波によって達成される。高域フィルタ及びハイブリッドだけが、ＬＴの一部である。前述したように、低域通過部分は好ましくは、異なったプリント基板アセンブリ（ＬＰＦ）上に存在する。
【００８１】
図１０は、ＡＳＩＣの初期化、保守メッセージのモニタと処理、及び誤動作ＬＴの検出などの多岐に渡るタスクを処理するために含まれるマイクロプロセッサとして実現できる、内蔵コントローラを示す。実装されているメモリは、実行可能なコードとデータに使用されるフラッシュＰＲＯＭとＤＲＡＭを含み得る。また、交換可能アイテムの適切な識別のために必要なデータを提供するために、商品リスト情報をＥＥＰＲＯＭに記憶させてもよい。それには、製品識別、製造情報、及び在庫情報を含めることができる。図１０には、内蔵取付け型ＤＣ／ＤＣ変換器を経由する電源機能も示される。試験アクセス・ポート（図示されていない）も提供可能である。
【００８２】
電気通信に関する米国国内規格（Ａｍｅｒｉｃａｎ  Ｎａｔｉｏｎａｌ  Ｓｔａｎｄａｒｄ  ｆｏｒ  Ｔｅｌｅｃｏｍｍｕｎｉｃａｔｉｏｎｓ）「ネットワーク及び顧客・インストール・インタフェース――非対称デジタル加入者回線（ＡＤＳＬ）金属インタフェース」、ＡＮＳＩ  Ｔ１．４１３−１９９５からいずれの当業者によっても理解されるように、図１１と図２に示されるツイスト・ペア３６上での信号の性質は、通常の電話サービス（ＰＯＴＳ）及び多岐に渡るデジタル・チャネルの提供を可能にする標準化された非対称デジタル加入者回線信号であってもよい。ネットワークから顧客敷地への方向では、デジタル・チャネルは、全二重低速チャネル及び単信高速チャネルを含む。上流方向では、低速チャネルだけが提供される。伝送システムは、混合ゲージを有する２芯ツイスト・ペア金属線上で動作するように設計されている。規格は、装荷コイルを有しないケーブルの使用に基づいているが、ブリッジされたタップは異常な状態を除き許容される。例えば、図１２に示されるように、周波数スペクトルは、ＰＯＴＳサービスのために確保される４  ＫＨｚバンドを含むものとして示され、４０ＫＨｚと１．１  ＭＨｚの間のスペクトルの部分は、多数のキャリアによって占有され、トーン・スペーシングは４．３１２５  ＫＨｚである。スペクトルの小さな部分は、示されるように、上流データに使用され、残りは下流データに使用される。４  ＫＨｚトーンのそれぞれはＱＡＭ変調され、個別に選択され、個々の加入者回線特性の関数として最適化される。多数のビットが割り当てられるトーンもあれば、回線の状態のため、少ない数のビットが割り当てられるか、まったく割り当てられないトーンもある。
【００８３】
図１１に示されるように、ＡＤＳＬ  ＬＴ  １４ａに関連してすでに説明した機能は、ＡＤＳＬモデム７でも用いられる。更に、加入者ＰＣ７６への選択されたインタフェースは、図１１に示されるように、例えばＡＴＭ−２５又はイーサネット・インタフェース、あるいはその両方を備えることができる。
【００８４】
図１３Ａは、ＡＤＳＬネットワーク終端（ＡＮＴ）装置の簡略化されたブロック図である。それは、例えば、ＡＮＳＩ  Ｔ１．４１３−１９９５の第４．３項に示されるようなＡＴＵ−Ｒ送信機基準モデル機能を実行するモデム部分を含む。ＡＴＭ機能が、本発明に従って、ＡＴＭ変換と信号処理のために追加される。下流方向では、ＡＴＭ装置は、ＡＤＳＬ信号を終端、復調し、相互接続機能がＡＴＭセルを、加入者のデジタル端末装置（ＤＴＥ）へのデジタル・ビットストリームに変換する。図示される実施形態では、顧客装置へのインタフェース・ブロックが、示されるように、ＡＴＭインタフェース又はイーサネット・インタフェース、あるいはその両方を有する。図１３Ｂは、図示の回線、ＡＴＭ、及びイーサネット・コネクションを有するＡＤＳＬネットワーク終端装置を示す。回線コネクタはＲＪ１４であるが、ＡＴＭＦ−２５と１０Ｂａｓｅ−ＴコネクタはＲＪ４５である。図１３Ｃは、図１３Ｄのテーブルに示される表示を与えるために図１３Ｂのボックスの上部に見ることのできる５つのＬＥＤインジケータを示す。
【００８５】
（図１１にすでに示されているような）ＡＤＳＬモデム７２の更に詳細な機能ブロック図は、図１３に示される。図２の低域通過フィルタ４２は、図２のノード６８も備える、図１３の外部「スプリッタ」の一部として示される。
【００８６】
外部ＡＤ／ＤＣインバータ（６Ｖ  ＤＣ／ｘＶ  ＡＣ）及び実装されているＤＣ／ＤＣ電源が図１３に示され、基板に電力を供給するために使用される。外部電源（ＡＣ／ＤＣ）は、壁のコンセントからの高電圧を＋６ボルトＤＣのようなＡＤＳＬモデムによって処理できる電圧に変換する。さらなる変換は、ＤＣ／ＤＣ電源により得られる。
【００８７】
アナログ・フロントエンドは、図１１に示されるようなハイブリッド及び回線ドライバだけではなく、図２にすでに示されている高域通過フィルタ３９を備えることがある。ハイブリッドは、２ワイヤから４ワイヤへ／４ワイヤから２ワイヤへの変換用である。
【００８８】
ＡＤＳＬＢブロックは、アナログ回線インタフェースを終端し、且つＤＡＣＨＡ／ＳＡＣＨＡブロックから物理加入者回線上を搬送されるアナログ通過帯域信号へのデジタル・データの変換及びその逆の変換するためのものである。ＡＤＳＬＢは、アナログ／デジタル（Ａ／Ｄ）及びデジタル・アナログ（Ｄ／Ａ）変換を実行する。
【００８９】
ＳＡＣＨＡは、ＤＭＴ信号変調器／復調器である。このソフトウェア構成ＡＳＩＣは、ＲＣＨＡＰブロックからの（スクランブルされた）ＡＴＭセルを処理し、ＤＭＴ変調済み信号をＡＤＳＬＢに、またその逆に送信する。ＤＡＣＨＡとＳＡＣＨＡの間には、ＳＡＣＨＡの場合は更に低コストになる点を除き相違点はないことに留意されたい。ＤＡＣＨＡも使用することができ、特に、これは標準化された４．３１２５  ＫＨｚトーン・スペーシング・モードをサポートするために必要である。
【００９０】
ＲＣＨＡＰは、ＳＡＣＨＡ／ＤＡＣＨＡとシステムの残りの間の相互接続を提供する。ＲＣＨＡＰは、上流方向と下流方向の両方で１６のＡＴＭセル・バッファを有し、仮想経路／仮想チャネル（ＶＰ／ＶＣ）変換、ＡＴＭセルの抽出と挿入を実行し、入力されたタスクを処理する。
【００９１】
ＲＡＰＩＤブロックは、ＲＣＨＡＰブロック、ＡＴＭ−ｉｚｅｒブロック及びＩＤＴ−ＰＨＹブロック間のインタフェースを提供する。それは、イーサネット機能用のＤＭＡコントローラ及び論理回路も備える。
【００９２】
ＩＤＴ−ＰＨＹブロックは、（標準バイト幅のセルを有する）入力された並列データ・バスと、（スクランブルされた４Ｂ５Ｂコーディング済みデータを有する）ＡＴＭフォーラム物理コネクタ上の直列データとの間でＡＴＭセルを変換する。
【００９３】
ＡＴＭ−ｉｚｅｒは、上流のサービスの質、セル整形、及び検査（ｐｏｌｉｃｉｎｇ）を担当する上流コントローラである。それは、下流ＡＡＬ５パケットをイーサネット・フレームへの変換及びその逆の変換を相当する。上流ＡＴＭフォーラム・データの処理も、ＡＴＭ−ｉｚｅｒによって実行される。
【００９４】
Ｉ８２５９６コントローラは、ＣＳＭＡ／ＣＤ媒体−アクセス制御を実行し、イーサネット・フレームをＳＲＡＭパケット・メモリと直列イーサネット・トランシーバの間で移動する。それはＯＢＣによってモニタされる。Ｉ８２５０３は、Ｉ８２５９６に対する直接インタフェースである、８０２．３  １０ベース−Ｔに従った直列送信機能を実行する。
【００９５】
コード処理のため、Ｉ９６０マイクロプロセッサが、ＡＳＩＣ、メモリなどの初期化、保守メッセージのモニタと処理、オンライン／オフライン試験サポートなどの多岐に渡るタスクを処理するために備えられる。プログラム実行用の２ＭｂのＤＲＡＭ、ブート・コード用及び電源投入テスト用の１．５ＭｂのＦ−ＰＲＯＭ、５１２ｋｂのイーサネット・パケット・メモリなどもＯＢＣ内に含まれる。小型ＥＥＰＲＯＭ（４  Ｋｂｉｔ）は、リモート回路に使用される。
【００９６】
図１４Ａは、本発明に従ったＮＴカードの実施形態の簡略化されたブロック図である。それは、同期光ネットワーク（ＳＯＮＥＴ）トランスポート・システムへの高速光アクセス又は電気アクセスを提供する。それは、非同期転送モード（ＡＴＭ）セルをＳＯＮＥＴパケット（つまり、フレーム）に変換し、またその逆に変換する。このようにして、ＮＴカードは、ＩＱバス上をＳＯＮＥＴ伝送システムに、またその逆に搬送されるＡＴＭセルを適応させる。それは、また、本発明のＡＴＭ加入者アクセス・マルチプレクサを動作させ、保守するための図４Ｂのテーブルに示されるような必要な機能も備える。
【００９７】
表１４Ｂのテーブルは、下流機能と上流機能を表す２つの欄に分割されることに留意されたい。例えば、下流機能は、グループ化され、１−４と番号が付けられ、図１４Ａのそれぞれの４つのブロックの上部セクションに同様にラベルが付されている。同様に、上流機能についても、テーブルの右側でグループ化され、５−８と番号が付けられ、同じ番号が図１４Ａのブロックの下半分に示される。これらの機能はブロックの間で移動可能であり、これは単に例にすぎないことに留意されたい。
【００９８】
物理媒体ブロックに関しては、これは、例えば、通常１５５．５２  Ｍｂｐｓというビット伝送速度で信号を搬送する受信光ファイバー及び送信光ファイバーを含む光トランスポート・システムをインタフェースするための光インタフェースであり得る。インタフェースは対称である。即ちインタフェースは双方向で同じビット伝送速度を持ち、例えば１．３μｍの波長で動作する。この信号が、電気領域でのＳＴＭ−１／ＳＴＳ−３ｃへの変換のためのＯＣ−３レベルでのＳＯＮＥＴ（同期光ネットワーク）信号となる。これは、物理媒体インタフェース・ブロックがＮＴカード上での処理のために更に低速での並列形式に変換する直列信号であり、並列下流出力は、受信されたクロックにロックされる。
【００９９】
伝送収束サブレイヤ（下部層）処理は、ＡＴＭセルが、ＡＴＭセルを伝送するために使用される階層伝送フレーム構造内に記述される第２ブロックで実行される。これらのセルは、それぞれが固定サイズで、図１４Ｆに示されるように５オクテットのヘッドと、図１４Ｈに示されるように４８オクテットのペイロードの、２つの部分に分割される。図１４ＡのＡＴＭブロックでは、ＡＴＭ層処理が実行される。上流方向では、ＩＱｕｐインタフェースで受信されるＡＴＭセル内のすべてのフィールドは、ヘッダ誤り制御（ＨＥＣ）フィールド（ＩＴＵ―Ｔ勧告、「Ｂ−ＩＳＤＮ  ＡＴＭ層仕様書」を参照のこと）を除き、トランスペアレントに伝送される。受信されたＡＴＭセルのルーティングは、セル・ヘッダ内のＶＰＩ（仮想経路識別子）ビットとＶＣＩ（仮想チャネル識別子）ビットに依存する。完全ＶＰＩオクテット及びＶＣＩの８個の最下位ビットは、抽出すべきデータ・チャネルに対応するＶＰＩ／ＶＣＩ組み合わせについてチェックされる。この方法は、抽出のためにマーキングできる最大２１６のチャネルを規定する。ＩＱインタフェースから受信されるすべての有効なセルは、仮想コンテナ又は同期ペイロード・エンベロープ（ＶＣ−４／ＳＰＥ）の上流に、又は内蔵コントローラへ伝送される。
【０１００】
図１４ＡのＡＴＭブロックの下流ＡＴＭ層処理の場合、オクテットで整列され、ＶＣ−４／ＳＰＥ内に浮いている各ＶＣ−４／ＳＰＥが、４４．１５１セル（５３オクテット）と同等のものを運ぶ。ＡＴＭセル記述は、セル・ヘッダ内のヘッダ誤り制御（ＨＥＣ）と該セル・ヘッダとの間の相互関係を使用する。ＩＴＵ−Ｔ勧告Ｉ．４３２「Ｂ−ＩＳＤＮユーザ・ネットワーク・インタフェース−物理層仕様書」によって勧告されるような、セル記述機構が使用される。オクテットＨ４単位のＡＴＭセル境界識別が使用される場合、セル記述は、Ｈ４によって示されるオクテットの探索を開始する。開始しない場合、探索はペイロード期間の第１オクテットで開始する。ＡＴＭセル情報フィールドは、ＩＴＵ−Ｔによって勧告される自己同期スクランブル／デスクランブル機構に従ってスクランブル解除される。
【０１０１】
それぞれがその確認されたＨＥＣオクテット及びデスクランブル済み情報フィールドを含む、有効な非アイドル・セルは、図１４Ａに示される最後のブロックであるＩＱ下りインタフェースに送信される。そのブロックでは、アイドル・セル期間が、最大毎秒１４９．７６Ｍｂｉｔの受信ビット伝送速度を毎秒１５２．６４  Ｍｂｉｔに適応させるために追加される。
【０１０２】
受信されたＡＴＭセルのルーティングは、セル・ヘッダ内のＶＰＩ、ＶＣＩ及びＰＴＩ（ペイロード・タイプ識別子）ビットに依存する。合計１６ビット、即ち４ニブルのＶＰＩ／ＶＣＩの組み合わせを、図１４Ｇに示されるモードに従ってチェックすることができる。各モードでは、ＶＰＩ／ＶＣＩのさまざまなニブルが選択される。選択されるＶＰＩ／ＶＣＩニブル組み合わせは、抽出すべき特殊データ・チャネルに対応する。セルは、ＶＰＩ／ＶＣＩ組み合わせだけを見ることによって、あるいはＶＰＩ／ＶＣＩ組み合わせとＰＴＩビットとを見ることによって抽出される。第２のケースでは、各ＰＴＩ（合計２３）を抽出のためにマーキングできる。このマーキングは、ＰＴＩチェックを含んでおり、抽出が示されるすべてのＶＰＩ／ＶＣＩ組み合わせに使用される。仮想コンテナ又は同期ペイロード・エンベロープに受信されるすべての有効なセルは、そのＶＰＩ／ＶＣＩ組み合わせとは独立に、ＩＱ下りインタフェース上で下流に伝送される（抽出用にマーキングされたセルも、ＡＴＭインタフェース・バスに送信される）。
【０１０３】
ＡＴＭセルの挿入及び抽出は、操作、保守及び信号セルの送信と受信とを提供するために、ネットワークの方向とＩＱバスの方向の両方のＮＴで提供される。セルの挿入及び抽出は、内蔵コントローラ（ＯＢＣ）の制御下にある。
【０１０４】
上流方向では、ＯＢＣには、出側ＶＣ−４／ＳＰＥにＡＴＭセルを挿入する可能性がある。ＯＢＣは、少なくとも６バイト及び多くても完全セル・ペイロード（合計５２オクテット）が後に続く、ＨＥＣのない有効セル・ヘッダを提供しなければならない。ＨＥＣは、セルがＶＣ−４／ＳＰＥに入れられる前に計算される。ＯＢＣと上流セル・ストリームの間のインタフェースは、ＯＢＣがセルを挿入することを許されているか、あるいは先に挿入されているセルが送信されるまで待機しなければならないかを背圧（ｂａｃｋ  ｐｒｅｓｓｕｒｅ）信号が示すＦＩＦＯバッファを使用して実行される。ＩＱ上りインタフェースで受信されるセルは、ＯＢＣから来るセルより高い優先順位を有する。同期は、ＦＩＦＯバッファ内の２つの挿入されたセルの間の境界線がどこにあるのかをセル挿入デバイスに示す同期信号によって実行される。下流で、ＯＢＣは、ＩＱ下りセル・ストリームにＡＴＭセルを挿入する可能性を有する。ＯＢＣは、少なくとも６バイト、及び多くても完全セル・ペイロード（合計５２オクテット）が後に続く、ＨＥＣのない有効なセル・ヘッダを提供しなければならない。ＨＥＣは、ＩＱインタフェースに送信されるときに生成される。ＯＢＣと下流セル・ストリームの間のインタフェースは、上流セル挿入用のセルＦＩＦＯバッファと同じセルＦＩＦＯバッファによって実行される。また、下流セル挿入の場合、背圧機構が実行される。ＶＣ−４／ＳＰＥで受信されるセルは、ＯＢＣからのセルより高い優先順位を有する。同期は、ＦＩＦＯバッファ内の２つの挿入されたセルの間の境界線がどこにあるのかをセル挿入デバイスに示す、同期信号によって実行される。
【０１０５】
上流方向でのセル抽出には、上記セル濾波機構を使用して以上のことが実行される。セル・ヘッダ及び完全ペイロードの最初の４オクテットだけがＩＱ上りインタフェースから抽出される。抽出回路とＯＢＣの間のインタフェースには、ＦＩＦＯバッファが使用される。ＯＢＣは、バッファが空になるまで５２オクテットのブロックを読み取ることにより、抽出されたセル・ストリームに同期しなければならない。
【０１０６】
下流セル抽出は、上記セル濾波機構を使用して実行される。セル・ヘッダ及び完全ペイロードの最初の４オクテットだけが、ＶＣ−４／ＳＰＥから抽出される。抽出の前に、これらのセルのＨＥＣがエラーがないかチェックされる。抽出回路とＯＢＣの間のインタフェースには、ＦＩＦＯバッファが使用される。ＯＢＣは、バッファが空になるまで５２オクテットのブロックを読み取ることにより、抽出されたセル・ストリームに同期しなければならない（ｓｙｎｃｈｒｏｎｉｚｅｄ）。ＯＢＣに向かって抽出されるセルは、オプションでＩＱ下りインタフェースにも送信できる。
【０１０７】
上に述べたように、ＩＱ下りバス及びＩＱ上りバスは、５オクテットのヘッダと４８オクテットの情報フィールドを有するＡＴＭセルを伝送する。各セルの前部に、図１４Ｈに示される１ダミー・オクテットがある。ＡＴＭセルは、５４オクテット・スロットにカプセル化され、ＩＱバスへのアクセスを与えられる。毎秒１５５．５２  Ｍｂｉｔから毎秒１５２．６４  Ｍｂｉｔへの適応（５３／５４＊毎秒１５５．５２  Ｍｂｉｔ）は、アイドル・セルの削除により実行される。これは、ＶＣ−４／ＳＰＥに含まれる有効ＡＴＭセルの最大ビット伝送速度が、毎秒１４９．７６Ｍｂｉｔ（２６−２７＊毎秒１５５．５２  Ｍｂｉｔ）に制限されるために実行可能になる。
【０１０８】
ダミー・オクテットは、（セル間の）ＩＱ上りインタフェース上で、あるＬＴから別のＬＴへの切替を可能にするために、ＡＴＭセルに追加される。ＩＱ下りインタフェースでは、このオクテットは充填されず、ＩＱ上りインタフェースでは、バスが、このオクテットの期間、高インピーダンス状態にある。
【０１０９】
ＮＴカードは、図５に示されるようなオペレーティング・システム（ＯＳ）に配置され得るＤＳＬワークステーションにより管理される。このようなＯＳは、ＡＴＭネットワーク及び中央局内のＡＴＭ交換機を介してシェルフのＮＴカードと通信する。詳細については、本願と同一の日付で出願された、「開ループ・フロー制御によるＡＳＡＭネットワーク管理システム」と題する係属中の共願の米国特許出願Ｓ／Ｎ（代理人事件整理番号第９０７−１６０号）を参照されたい。図１４Ｃは、図１のシェルフのスロット内で使用可能な、ＮＴカードの正面図を示し、図１４Ｄは側面図を示す。
【０１１０】
図１４Ｅは、図１のＮＴカード１２ａの更に詳細な機能ブロック図である。光／電気トランシーバは、ＳＯＮＥＴ／ＳＤＨ準拠インタフェースを、１つの集積されたパッケージ内で１５５．５２  Ｍｂｐｓ  ＳＴＭ１又はＳＴＳ３−ｃ信号に与える。クロック再生はＳ／ＵＮＩ＋で実行される。このクロック再生を実行するためには、基準クロックを必要とする。再生されたクロック（１５５．５２ＭＨｚ）は、Ｓ／ＵＮＩ＋により８分割され、（ループ・タイミングがイネーブルされている場合には）ＶＣＸＯ出力クロックが追跡しなければならないＵＩＡＣブロックに位置するＰＬＬ回路に対する基準クロックとして機能するために入力の１つとしての役割を果たす。ＶＣＸＯから生じるクロックは、光送信機にデータを送信するための入力クロックとして機能する。該クロツクは送信クロックを合成するために使用され、システムクロックとしても機能する。基準クロック入力及びＶＣＸＯ出力クロックは、更に、ＵＩＡＣ内で係数Ｎで分割される（ベルコアの場合、Ｎ＝２０４８であり、ＩＣＵの場合Ｎ＝１２８）。２つの結果的に生じる分割されたクロックの間の位相比較の後、結果的に生じる電圧は、低域通過フィルタに供給され、信号がＶＣＸＯを駆動する。ループ・タイミングは、伝送クロック（システム・クロック）を受信クロックにロックすることによって確立できる。
【０１１１】
Ｓ／ＵＮＩ＋のＡＴＭ側には、ＵＩＡＣによって制御される２つの内部４セル同期ＦＩＦＯが存在する。このインタフェースは、ＳＣＩ／ＰＨＹ（ユートピア（Ｕｔｏｐｉａ）に類似した）インタフェースとして動作する。ＦＩＦＯがＳ／ＵＮＩに一体化されるので背圧（上流）が存在する。上流方向の場合、これは、ＩＱバス上に１５５．５２  Ｍｂｐｓの全負荷（ユートピア・インタフェースでは１５２．６４  Ｍｂｐｓ）があり、最大伝送容量が１４９．７６  Ｍｂｐｓ  ＡＴＭセルである場合、４セルＦＩＦＯが１．５  ｍｓ後には、いっぱいになることを意味する。
【０１１２】
ＵＩＡＣ構成要素は、直列ＰＲＯＭから「電源投入リセット」の間にプログラミングされるＬＣＡデバイスである。それは、セルの挿入と抽出に３つの同期している５１２  ｘ  ９ビットのＦＩＦＯ、及びルーティング用に１つの１２８Ｋｘ  ８ビットのＳＲＡＭを使用する。ＵＩＡＣモジュールは、Ｓ／ＵＮＩ＋構成要素へのＳＣＩ／ＰＨＹ（ユートピアに類似した）インタフェースを備える。ネットワークの方向とＬＴの方向の両方でのＡＴＭセル挿入は、１つのＳＩＦ（信号挿入ＦＩＦＯ）バッファによって処理される。ＯＢＣバスは、ＦＩＦＯの８個のデータ入力に直接接続される。セル挿入の方向は、追加ＵＩＡＣレジスタに書き込むことによってＯＢＣによって指定される。ＦＩＦＯの第９ビットは、セルの同期と挿入の方向の指定に使用される。ＲＡＭルックアップ・テーブルは、ＶＰＩ／ＶＣＩ結合でのセル濾波に使用される。ＲＡＭには、８ビットの１２８Ｋエントリがある。
【０１１３】
下流セル抽出は、下流信号抽出ＦＩＦＯ（ＤＳＥＦ）によって実行される。このバッファの８ビットの出力データは周辺バスに接続される。抽出されるすべてのセルは、下流トラヒック・ストリームにデフォルトによってコピーされる。ただし、これは、ＵＩＡＣ内のトラフィック制御レジスタによって不能化し得る。
【０１１４】
上流セル抽出は、ＵＳＥＦ（上流信号抽出ＦＩＦＯ）を介して実行される。このバッファの８個のビットの出力データは周辺バスに接続される。上流ＩＱインタフェースで受信されるセルは、ＯＢＣに対して、又は上流ＳＤＨ／ＳＯＮＥＴインタフェースに送信される。抽出されるすべてのセルは、デフォルトによって上流トラヒック・ストリームにコピーされる。ただし、これは、ＵＩＡＣ内のトラヒック制御レジスタによって不能化し得る。
【０１１５】
下流方向では、ＡＴＭセルがＩＣＯＭインタフェースに転送される。上流方向では、ＡＴＭセルがＩＣＯＭから受信される。
【０１１６】
ＵＩＡＣは、ＩＥＥＥ  １１４９．１（ＪＴＡＧ）仕様書に準拠する境界線スキャンインターフェイスに含めることができる。
【０１１７】
ＡＤＳＬ警報制御装置（ＡＣＵ）のブロック図は、図１５Ａに示されるが、その機能は図１５Ｂのテーブルに示される。図１６はＡＣＵの正面図を示し、図１７は側面図を示す。
【０１１８】
上記に加えて、以下に開示するものを参照されたい。
【０１１９】
１９９７年６月３日に発行された、「受信されたデジタル・データ内で削除箇所を検出するための方法」と題する米国特許第５，６３６，２５３号。
【０１２０】
１９９７年５月２７日に発行された、「高速フーリエ変換専用プロセッサ」と題する米国特許第５，６３３，８１７号。
【０１２１】
１９９５年１１月２１日に出願された、ＡＤＳＬ選択可能ＤＰＬＬを開示する、「信号プロセッサ・モジュール」と題する米国特許出願シリアル番号第０８／５６１，４４５号。
【０１２２】
１９９５年１１月２０日に出願された、ＤＭＴベースの送信機を開示する、「信号プロセッサ」と題する米国特許出願シリアル番号第０８／５６０，９３８号。
【０１２３】
１９９６年１月３０日に出願された、多重接続用ＤＭＴモデムを開示する、「周波数分割多重接続（ＦＤＡＭ）専用伝送システム、該システムで使用される送信機及び受信機」と題する米国特許出願シリアル番号第０８／５９３，８８５号。
【０１２４】
１９９６年７月１０日に出願された、ＡＤＳＬビット割当てを開示する、「マルチキャリア・アプリケーションにおいてデータ要素を割り当てる方法及び該方法を実行する装置」と題する米国特許出願シリアル番号第０８／６７７，４６８号。
【０１２５】
１９９６年７月１０日に出願された、ＡＤＳＬ  ＢＩＧＩアルゴリズムを開示する、「キャリアのセットにデータ要素を割り当てる方法及び該方法を実行するためのマッピングユニット、及び変調器」と題する米国特許出願シリアル番号第０８／６７５，３２３号。
【０１２６】
１９９６年８月１５日に出願された、ＡＤＳＬでのインタリーブを開示する、「データ・フレームをインタリーブするための方法、順方向エラー訂正装置、及び該装置を含む変調器」と題する米国特許出願シリアル番号第０８／７００，７５６号。
【０１２７】
１９９６年９月１７日に出願された、ＣＯが休止して遠隔活動を待ち受ける、ＡＤＳＬ用活動検出器を開示する「感知回路」と題する、米国特許出願シリアル番号第０８／７１８，６４１号。
【０１２８】
１９９６年１０月１１日に出願された、アナログ（フロントエンド）送信機内のＩＳＩ削減アルゴリズムを開示する、「伝送回線インパルス応答を等化する方法、及び該方法を実行するためのデバイス」と題する米国特許出願シリアル番号第０８／７２９，４２９号。
【０１２９】
１９９７年１月１６日に出願された、ＤＭＴパイロット・トーン再割当てを開示する「マルチキャリア・システムにおけるパイロット・キャリアの適応割当てのための方法及びモデム」と題する、米国特許出願シリアル番号第０８／７８３，８５９号。
【０１３０】
本願と同一の日付で出願された、単一周波数又はバンド幅を有する（ｂａｎｄｅｄ）雑音への抵抗を開示する、「漏れを低減する方法及び使用されるウインドウユニット、フーリエ変換器及びＤＭＴモデム」と題する、米国暫定特許出願シリアル番号（代理人事件整理番号第９０２−５７５号）。
【０１３１】
ＤＭＴ用の回転体を開示する、「位相回転器を有する送信機、変調器／復調器、通信システム、及びこれにより実行される方法」と題する米国暫定特許出願シリアル番号（代理人事件整理番号第９０２−５７６号）。
【０１３２】
ＡＤＳＬ上でＡＴＭ時間基準トランスポートを開示する、「ネットワーク・セグメント上で到来するクロック信号をトランスペアレントに伝送するための方法、及び関連する送信及び受信ユニット」と題する米国暫定特許出願シリアル番号（代理人事件整理番号第９０２−５７７号）。
【０１３３】
ＡＤＳＬ上でのＡＴＭ用クロックの反転を開示する、「データを同期させるための方法及び該方法を実現する送信機と受信機」と題する米国暫定特許出願シリアル番号（代理人事件整理番号第９０２−５７８号）。
【０１３４】
ＡＤＳＬ速度再設定を開示する、「適応データ転送速度用初期化プロトコル及び関連の送信機」と題する米国暫定特許出願シリアル番号（代理人事件整理番号第９０２−５７９号）。
【０１３５】
ＤＭＴシステムにおけるＲＦＩ削減を開示する、「データ・ビットを割り当てるための方法、マルチキャリア、該方法を使用する送信機と受信機、及び関連の割当てメッセージ」と題する米国暫定特許出願シリアル番号（代理人事件整理番号第９０２−５８０号）。
【０１３６】
ＮＴをＬＴに接続するための初期Ｉ＊バスを開示する、「優先順位に基づくアクセス制御方法及び装置」と題する、米国暫定特許出願シリアル番号（代理人事件整理番号第９０２−５８１号）。
【０１３７】
電源投入回路を開示する「電流制御インタフェース装置」と題する、米国暫定特許出願シリアル番号（代理人事件整理番号第９０２−５８２号）。
【０１３８】
上記図３に説明されるようなＮＴをＬＴに接続するための好ましいＩＱバスを開示する、「優先順位が付けられたデータ伝送のための方法及びデータ伝送装置」と題する米国暫定特許出願シリアル番号（代理人事件整理番号第９０２−５８３号）。
【０１３９】
「電力削減手段を有するマルチキャリア電話通信システム」と題する米国暫定特許出願シリアル番号（代理人事件整理番号第９０２−５８４号）、及び
「電力適応手段を有するマルチキャリア電話通信システム」と題する米国暫定特許出願シリアル番号（代理人事件整理番号第９０２−５８５号）。
【０１４０】
本発明を、その最良モードの実施形態に関して説明、記述したが、形式及び詳細に関する変更、省略及び追加が、発明の範囲を逸脱することなく行われることは、当業者が理解すべきである。
【図面の簡単な説明】
【図１】本発明に従うＡＴＭ加入者アクセス・マルチプレクサ（ＡＳＡＭ）システムで使用されるｘＤＳＬシェルフ・レイアウトを示す図である。
【図１Ａ】図１のシェルフを詳細に示す図である。
【図１Ｂ】電話局（ＣＯ）ラック内のｘＤＳＬシェルフの標準的な構成を示す図である。
【図１Ｃ】バックプレーン、端末ブロックなどへの接続用のさまざまなコネクタを有するカードなしのシェルフを示す図である。
【図１Ｄ】本発明に従ったシェルフの側面図である。
【図１Ｅ】シェルフを収容するための、本発明に従うラックを示す図である。
【図２】従来のＰＯＴＳサービスと結合されるｘＤＳＬシェルフの機能ブロック図である。
【図３】図２のｘＤＳＬシェルフの詳細を示す図である。
【図３Ａ】優先順位が付けられたデータのためのバス・アクセスを説明する図である。
【図４】
本発明に従うＡＳＡＭシステムで使用されるｘＤＳＬシェルフの２つの異なる実施形態を示す図である。
【図４Ａ】「ハブ」アプリケーションをサポートするためのＬＴ−ＬＰＦ  ＢＰＡ配線及びＬＴ−ＢＰＡ送信機を示す図である。
【図４Ｂ】「ハブ」アプリケーションのために取り付けられる非冗長ＤＳ−３  ＬＴカードを用いた配線を示す図である。
【図４Ｃ】「ハブ」アプリケーション内の同じシェルフにある冗長ＤＳ−３  Ｌ／Ｔを示す図である。
【図４Ｄ】「ハブ」アプリケーション用の同じシェルフ内の冗長ＤＳ−３  ＬＴ用の交換信号配線を示す図である。
【図４Ｅ】ＩＱバス冗長性を提供するための、「ハブ」アプリケーション用の別個のシェルフ内でのＤＳ−３  Ｌ／Ｔカード冗長性を示す図である。
【図５】図４のハブ及びリモートの配置を示す図である。
【図６】ＡＳＡＭシステムの１つのラック内の４つのｓＤＳＬシェルフを示す図である。
【図７Ａ】低域通過フィルタ・カードの概略ブロック図である。
【図７Ｂ】低域通過フィルタ・カードの側面図である。
【図７Ｃ】図７Ｂのカードの正面図である。
【図７Ｄ】本発明に従うスプリッタ・シェルフを示す図である。
【図８】本発明に従うスプリッタ・シェルフのような、別個のスプリッタ・シェルフを示す図である。
【図８Ａ】ＡＤＳＬ遠隔キャビネットを示す図である。
【図９】本発明に従うコンパクトなｘＤＳＬシェルフを示す。
【図１０】本発明に従うＬＴカードの機能ブロック図である。
【図１０Ａ】ＬＴカードの正面図である。
【図１０Ｂ】ＬＴカードの側面図である。
【図１１】加入者ＡＤＳＬモデムに接続されるシェルフ内のＬＴカードのチャネル概略ブロック図である。
【図１２】ＱＡＭ変調サブチャネル（トーン）の例を示す図である。
【図１３Ａ】加入者の敷地内で使用されるＡＤＳＬモデムのブロック図である。
【図１３Ｂ】ＡＤＳＬモデムの外形図である。
【図１３Ｃ】図１３ＢのモデムのＬＥＤレイアウトを示す図である。
【図１３Ｄ】図１３ＣのＬＥＤインジケータの意味を説明するテーブルである。
【図１３Ｅ】ＡＤＳＬモデムの機能ブロック図である。
【図１４Ａ】本発明に従う、ＮＴカードの概略ブロック図である。
【図１４Ｂ】図１４ＡのＮＴカードの下流機能及び上流機能を説明するテーブルを示す図である。
【図１４Ｃ】本発明に従う、ＮＴカードの正面図である。
【図１４Ｄ】本発明に従う、ＮＴカードの側面図である。
【図１４Ｅ】本発明に従う、ＮＴカードのブロック図である。
【図１４Ｆ】ＡＴＭセルのセル・ヘッダ構造を示す図である。
【図１４Ｇ】ＡＴＭセルのルーティングを説明するテーブルを示す図である。
【図１４Ｈ】本発明に従うＩＱバス・セル・レイアウトを示す図である。
【図１５Ａ】警報制御装置ＡＣＵの概略ブロック図である。
【図１５Ｂ】ＡＣＵの信号の機能を説明するテーブルを示す図である。
【図１６】ＡＣＵカードの外形図である。
【図１７】図１６のＡＣＵカードの側面図である。
【図１】
0003563601.tif 000002
【図１Ａ】
0003563601.tif 000003
【図１Ｂ】
0003563601.tif 000004
【図１Ｃ】
0003563601.tif 000005
【図１Ｄ】
0003563601.tif 000006
【図１Ｅ】
0003563601.tif 000007
【図２】
0003563601.tif 000008
【図３】
0003563601.tif 000009
【図３Ａ】
0003563601.tif 000010
【図４】
0003563601.tif 000011
【図４Ａ】
0003563601.tif 000012
【図４Ｂ】
0003563601.tif 000013
【図４Ｃ】
0003563601.tif 000014
【図４Ｄ】
0003563601.tif 000015
【図４Ｅ】
0003563601.tif 000016
【図５】
0003563601.tif 000017
【図６】
0003563601.tif 000018
【図７Ａ】
0003563601.tif 000019
【図７Ｂ】
0003563601.tif 000020
【図７Ｃ】
0003563601.tif 000021
【図７Ｄ】
0003563601.tif 000022
【図８】
0003563601.tif 000023
【図８Ａ】
0003563601.tif 000024
【図９】
0003563601.tif 000025
【図１０】
0003563601.tif 000026
【図１０Ａ】
0003563601.tif 000027
【図１０Ｂ】
0003563601.tif 000028
【図１１】
0003563601.tif 000029
【図１２】
0003563601.tif 000030
【図１３Ａ】
0003563601.tif 000031
【図１３Ｂ】
0003563601.tif 000032
【図１３Ｃ】
0003563601.tif 000033
【図１３Ｄ】
0003563601.tif 000034
【図１３Ｅ】
0003563601.tif 000035
【図１４Ａ】
0003563601.tif 000036
【図１４Ｂ】
0003563601.tif 000037
【図１４Ｃ】
0003563601.tif 000038
【図１４Ｄ】
0003563601.tif 000039
【図１４Ｅ】
0003563601.tif 000040
【図１４Ｆ】
0003563601.tif 000041
【図１４Ｇ】
0003563601.tif 000042
【図１４Ｈ】
0003563601.tif 000043
【図１５Ａ】
0003563601.tif 000044
【図１５Ｂ】
0003563601.tif 000045
【図１６】
0003563601.tif 000046
【図１７】
0003563601.tif 000047